(57)【要約】【課題】  帯域効率を効果的に改善する光受信装置及び伝送装置を提供する。【解決手段】  光受信装置は、入力されたバースト光信号を正相の電気信号及び逆相の電気信号に変換する変換部と、前記正相の電気信号及び前記逆相の電気信号を増幅する増幅部と、前記正相の電気信号及び前記逆相の電気信号がそれぞれ出力される第１出力端子及び第２出力端子と、前記増幅部を前記第１出力端子及び前記第２出力端子にそれぞれ接続し、前記正相の電気信号及び前記逆相の電気信号がそれぞれ伝送される第１伝送線路及び第２伝送線路と、前記バースト光信号同士の間に設けられた無信号期間中、前記第１伝送線路と前記第２伝送線路の電位差を低減する制御部とを有する。【選択図】図１０
2015089047.tif 000002
【特許請求の範囲】
【請求項１】
入力されたバースト光信号を正相の電気信号及び逆相の電気信号に変換する変換部と、
前記正相の電気信号及び前記逆相の電気信号を増幅する増幅部と、
前記正相の電気信号及び前記逆相の電気信号がそれぞれ出力される第１出力端子及び第２出力端子と、
前記増幅部を前記第１出力端子及び前記第２出力端子にそれぞれ接続し、前記正相の電気信号及び前記逆相の電気信号がそれぞれ伝送される第１伝送線路及び第２伝送線路と、
前記バースト光信号同士の間に設けられた無信号期間中、前記第１伝送線路と前記第２伝送線路の電位差を低減する制御部とを有することを特徴とする光受信装置。
【請求項２】
前記第１伝送線路及び前記第２伝送線路は、キャパシタを介して、前記増幅部を前記第１出力端子及び前記第２出力端子にそれぞれ接続し、
前記制御部は、前記無信号期間中、前記第１伝送線路において前記増幅部と前記キャパシタの間に延びる部分と、前記第２伝送線路において前記増幅部と前記キャパシタの間に延びる部分の電位差を低減することを特徴とする請求項１に記載の光受信装置。
【請求項３】
前記バースト光信号が入力されたときに前記変換部から出力される電流を検出して、検出信号を前記制御部に出力する検出部を、さらに有し、
前記制御部は、前記検出信号に基づいて、前記第１伝送線路と前記第２伝送線路の電位差を低減することを特徴とする請求項１または２に記載の光受信装置。
【請求項４】
前記制御部は、前記無信号期間中、前記第１伝送線路及び前記第２伝送線路間を短絡し、前記バースト光信号が入力されている期間中、前記第１伝送線路及び前記第２伝送線路間を開放することを特徴とする請求項１乃至３の何れかに記載の光受信装置。
【請求項５】
前記制御部は、前記無信号期間中、前記第１伝送線路と前記第２伝送線路の電位差が低減されるように前記第１伝送線路及び前記第２伝送線路にバイアス電圧を印加し、前記バースト光信号が入力されている期間中、前記第１伝送線路及び前記第２伝送線路への前記バイアス電圧の印加を停止することを特徴とする請求項１乃至３の何れかに記載の光受信装置。
【請求項６】
入力されたバースト光信号を正相の電気信号及び逆相の電気信号に変換する変換部と、
前記正相の電気信号及び前記逆相の電気信号を増幅する増幅部と、
キャパシタを介して前記変換部を前記増幅部に接続し、前記正相の電気信号及び前記逆相の電気信号がそれぞれ伝送される第３伝送線路及び第４伝送線路と、
前記バースト光信号同士の間に設けられた無信号期間中、前記第３伝送線路において前記変換部と前記キャパシタの間に延びる部分と、前記第４伝送線路において前記変換部と前記キャパシタの間に延びる部分の電位差を低減する制御部とを有することを特徴とする光受信装置。
【請求項７】
入力されたバースト光信号を正相の電気信号及び逆相の電気信号に変換する変換部と、
前記正相の電気信号及び前記逆相の電気信号を増幅する増幅部と、
前記増幅部により増幅された前記正相の電気信号及び前記逆相の電気信号を処理する信号処理部と、
キャパシタを介して前記増幅部を前記信号処理部に接続し、前記正相の電気信号及び前記逆相の電気信号がそれぞれ伝送される第５伝送線路及び第６伝送線路と、
前記バースト光信号同士の間に設けられた無信号期間中、前記第５伝送線路において前記増幅部と前記キャパシタの間に延びる部分と、前記第６伝送線路において前記増幅部と前記キャパシタの間に延びる部分の電位差を低減する制御部とを有することを特徴とする伝送装置。
【発明の詳細な説明】
【技術分野】
【０００１】
本件は、光受信装置及び伝送装置に関する。
【背景技術】
【０００２】
通信需要の増加に伴い、加入者系の通信回線として、ＡＤＳＬ（Asymmetric Digital Subscriber Line）などのメタル回線に代えて、ＰＯＮ(Passive Optical Network)などの光回線が普及している。ＰＯＮは、例えば特許文献１に開示されているように、光端局装置及び複数の光終端装置が、光を分岐する光カプラ（スターカプラ）を介して接続されたアクセス系光ネットワークの形態である。
【０００３】
光端局装置は、ＯＬＴ（Optical Line Termination）などと呼ばれ、光通信サービスの提供者の局舎に設置される伝送装置である。光終端装置は、ＯＮＵ（Optical Network Unit）（またはＯＮＴ（Optical Line Termination））などと呼ばれ、光通信サービスの加入者宅に設置される伝送装置である。なお、ＯＮＵからＯＬＴに向かう伝送方向は、上り方向として定義され、ＯＬＴからＯＮＵに向かう伝送方向は、下り方向として定義される。
【０００４】
光カプラは、１台のＯＬＴを、例えば３２台のＯＮＵと接続することにより、スター型トポロジを有する光ネットワークの構成を可能とする。ＰＯＮの利点の１つは、このスター型トポロジにより、局舎及び加入者宅間に施設される光ファイバ（伝送路）の本数が削減されることにある。
【０００５】
ＯＬＴ及びＯＮＵは、上り方向及び下り方向において、例えば１．２５（Ｇｂｐｓ）の伝送速度で信号伝送を行う。下り方向の伝送速度が１．２５（Ｇｂｐｓ）であるＰＯＮは、ＩＴＵ−Ｔ（International Telecommunication Union telecommunication Standardization Sector）勧告Ｇ．９８４シリーズに、Ｇ（Gigabit-capable）−ＰＯＮとして規定されている。一方、ＩＥＥＥ（the Institute of Electrical and Electronics Engineers, Inc.）８０２．３ａｈにも、イーサネット（登録商標。以下同様）技術に基づく同様の伝送速度のＰＯＮが、１０００ＢＡＳＥ−ＰＸ２０（ＰＸ１０）として規定されている。なお、１０００ＢＡＳＥ−ＰＸ２０（ＰＸ１０）のＰＯＮは、ＧＥ（Gigabit Ethernet（登録商標、以下同様））−ＰＯＮなどと呼ばれる。
【０００６】
近年では、さらなる通信需要の増加を見込み、例えば、上り方向及び下り方向の伝送速度をそれぞれ２．５（Ｇｂｐｓ）及び１０（Ｇｂｐｓ）として、大容量伝送を実現とするＰＯＮ技術の開発が進められている。この技術は、ＩＴＵ−Ｔ勧告Ｇ．９８７シリーズに、ＸＧ（10-Gigabit-capable）−ＰＯＮとして規定されている。一方、ＩＥＥＥ８０２．３ａｖにも、上り方向が２．５（Ｇｂｐｓ）または１０（Ｇｂｐｓ）で、下り方向が１０（Ｇｂｐｓ）である１０ＧＥ（10-Gigabit Ethernet）−ＰＯＮが規定されている。
【０００７】
ＯＬＴから各ＯＮＵに送信される下り信号は、各ＯＮＵ宛てのデータが連続する連続信号として、時分割多重方式（ＴＤＭ: Time Divisional Multiplexing）により送信処理される。これに対し、各ＯＮＵからＯＬＴに送信される上り信号は、光カプラ及びＯＬＴ間が、１本の光ファイバにより接続されているので、互いに衝突しないように、予めＯＬＴから各ＯＮＵに対して指示された個別の送信タイミングに基づいて送信処理される。
【０００８】
隣同士の上り信号の間には、上り信号同士の衝突を回避するため、送信レーザのオンオフ時間に基づいて決定された所定長のガードタイム（無信号期間）が設けられている。このため、上り信号は、バースト光信号として、時分割多元接続（ＴＤＭＡ: Time Division Multiple Access）により送信処理される。
【０００９】
ＯＬＴは、各ＯＮＵから送信されたバースト光信号を受信する光受信装置（バースト受信器）を備える。光受信装置に内蔵された増幅器間、または光受信装置と後段のリタイミング回路との間は、ＡＣ（Alternative Current）結合、つまりカップリングコンデンサにより接続される。ＡＣ結合を用いると、ＤＣ結合とは異なり、バースト光信号を変換して得られた正相及び逆相の各電気信号の電圧の出力レベルを、出力先デバイスの入力レベルに合わせる必要がないため、汎用の電気部品の使用が可能となり、コストが低減される。
【００１０】
光受信装置に関し、例えば特許文献１には、バースト信号のバースト間区間を検出して、自動オフセット補償を行う点が開示されている。また、特許文献２には、差動増幅回路の差動出力信号のＤＣオフセット電圧を調整する点が開示されている。
【先行技術文献】
【特許文献】
【００１１】
【特許文献１】特開２００９−２４６５３７号公報
【特許文献２】特開２００９−３８５５６号公報
【発明の概要】
【発明が解決しようとする課題】
【００１２】
ＡＣ結合を用いた場合、光受信装置において、正相及び逆相の各電気信号の電圧レベルの基準値は、バースト光信号間のガードタイム、すなわち無信号期間の影響により、受信開始から一定時間、変動する。これは、無信号期間において、電気信号を出力するデバイスの出力電圧の直流成分が、カップリングコンデンサの遮断周波数により接続先回路から遮断され、該デバイス単体の電圧レベルとなるためである。この変動により、正相の電気信号及び逆相の電気信号の各電圧レベルの基準値は、不平衡状態となる。
【００１３】
電圧レベルの基準値が変動する間、バースト光信号内のデータの判別は不可能であるため、バースト光信号の先頭には、当該期間（settling time）以上の長さを有するプリアンブル領域が設けられている。このプリアンブル領域は、一定の伝送帯域を消費するため、上り方向の帯域効率を低下させる。
【００１４】
データ判別が不可能な期間は、伝送線路のインピーダンス及びカップリングコンデンサの容量値に基づく時定数に依存する。このため、カップリングコンデンサの容量値を小さくすることにより、当該期間を短縮し、帯域効率を改善することが可能である。
【００１５】
しかし、カップリングコンデンサの容量値を小さくすると、バースト光信号内の連続する同一符号同士の干渉を強めることとなるので、受信感度の劣化及び符号判別誤りが生じ、伝送品質を劣化させる結果となる。つまり、ＰＯＮの上り方向において、帯域効率及び伝送品質は、トレードオフの関係にある。
【００１６】
そこで本件は上記の課題に鑑みてなされたものであり、帯域効率を効果的に改善する光受信装置及び伝送装置を提供することを目的とする。
【課題を解決するための手段】
【００１７】
本明細書に記載の光受信装置は、入力されたバースト光信号を正相の電気信号及び逆相の電気信号に変換する変換部と、前記正相の電気信号及び前記逆相の電気信号を増幅する増幅部と、前記正相の電気信号及び前記逆相の電気信号がそれぞれ出力される第１出力端子及び第２出力端子と、前記増幅部を前記第１出力端子及び前記第２出力端子にそれぞれ接続し、前記正相の電気信号及び前記逆相の電気信号がそれぞれ伝送される第１伝送線路及び第２伝送線路と、前記バースト光信号同士の間に設けられた無信号期間中、前記第１伝送線路と前記第２伝送線路の電位差を低減する制御部とを有する。
【００１８】
本明細書に記載の光受信装置は、入力されたバースト光信号を正相の電気信号及び逆相の電気信号に変換する変換部と、前記正相の電気信号及び前記逆相の電気信号を増幅する増幅部と、キャパシタを介して前記変換部を前記増幅部に接続し、前記正相の電気信号及び前記逆相の電気信号がそれぞれ伝送される第３伝送線路及び第４伝送線路と、前記バースト光信号同士の間に設けられた無信号期間中、前記第３伝送線路において前記変換部と前記キャパシタの間に延びる部分と、前記第４伝送線路において前記変換部と前記キャパシタの間に延びる部分の電位差を低減する制御部とを有する。
【００１９】
本明細書に記載の伝送装置は、入力されたバースト光信号を正相の電気信号及び逆相の電気信号に変換する変換部と、前記正相の電気信号及び前記逆相の電気信号を増幅する増幅部と、前記増幅部により増幅された前記正相の電気信号及び前記逆相の電気信号を処理する信号処理部と、キャパシタを介して前記増幅部を前記信号処理部に接続し、前記正相の電気信号及び前記逆相の電気信号がそれぞれ伝送される第５伝送線路及び第６伝送線路と、前記バースト光信号同士の間に設けられた無信号期間中、前記第５伝送線路において前記増幅部と前記キャパシタの間に延びる部分と、前記第６伝送線路において前記増幅部と前記キャパシタの間に延びる部分の電位差を低減する制御部とを有する。
【発明の効果】
【００２０】
本明細書に記載の光受信装置及び伝送装置は、伝送効率を効果的に改善するという効果を奏する。
【図面の簡単な説明】
【００２１】
【図１】ＰＯＮの構成例を示す構成図である。
【図２】バースト光信号の構成を示す構成図である。
【図３】国際標準規格に定められたバースト光信号に関する仕様を示す表である。
【図４】光端局装置の機能構成例を示す構成図である。
【図５】比較例に係る光受信装置の回路を示す回路図である。
【図６】光受信装置とリタイミング回路の間のＡＣ結合の一例を示す回路図である。
【図７】出力バッファから出力される正相の電気信号及び逆相の電気信号と、リタイミング回路に入力される正相の電気信号及び逆相の電気信号とを示す波形図である。
【図８】受信セトリングタイムに対する同符号連続耐力の関係を示すグラフである。
【図９】ＩＴＵ−Ｔ勧告Ｇ．９８７．２の仕様に対する受信セトリングタイムの概算値を示す表である。
【図１０】第１実施例に係る光受信装置の回路を示す回路図である。
【図１１】第２実施例に係る光受信装置の回路を示す回路図である。
【図１２】第１実施例及び第２実施例における信号波形を示す波形図である。
【図１３】第３実施例に係る光受信装置の回路を示す回路図である。
【図１４】第４実施例に係る光受信装置の回路を示す回路図である。
【図１５】第３実施例及び第４実施例における信号波形を示す波形図である。
【図１６】第５実施例に係る光受信装置の回路を示す回路図である。
【図１７】第６実施例に係る光受信装置の回路を示す回路図である。
【図１８】第５実施例及び第６実施例における信号波形を示す波形図である。
【図１９】第７実施例に係る光受信装置の回路を示す回路図である。
【図２０】第８実施例に係る光受信装置の回路を示す回路図である。
【図２１】第７実施例及び第８実施例における信号波形を示す波形図である。
【図２２】第９実施例に係る光受信装置の回路を示す回路図である。
【図２３】第９実施例における信号波形を示す波形図である。
【図２４】第１０実施例に係る光受信装置の回路を示す回路図である。
【図２５】第１０実施例における信号波形を示す波形図である。
【図２６】第１１実施例に係る光受信装置の回路を示す回路図である。
【発明を実施するための形態】
【００２２】
図１は、ＰＯＮの構成例を示す構成図である。ＰＯＮは、アクセス系ネットワークの１つであり、光端局装置（ＯＬＴ）１と、複数の光終端装置（ＯＮＵ）２と、光カプラ（スターカプラ）３とを有する。
【００２３】
光端局装置１は、光通信サービスの提供者の局舎に設置される伝送装置である。複数の光終端装置２は、光通信サービスの加入者宅＃１〜＃Ｎ（分岐数Ｎは例えば３２）にそれぞれ設置される伝送装置である。なお、本実施例において、光終端装置２から光端局装置１に向かう伝送方向を、上り方向として定義し、光端局装置１から光終端装置２に向かう伝送方向は、下り方向として定義する。
【００２４】
光端局装置１及び複数の光終端装置２は、光ファイバ（伝送路）を介して光カプラ３に接続されるため、ＰＯＮは、スター型のトポロジを有する。光カプラ３は、光信号を合波または分波するデバイスであり、例えば、各加入者宅＃１〜＃Ｎに近い電信柱の器具箱に設置される。このため、光カプラ３と各加入者宅＃１〜＃Ｎの光終端装置２の間に施設される複数本の光ファイバの長さは、光カプラ３と光端局装置１の間に施設される光ファイバより短い。
【００２５】
また、光カプラ３と光端局装置１の間に施設される光ファイバは１本である。したがって、ＰＯＮは、メディアコンバータのように局側伝送装置と１対１で接続されるネットワーク形態と比較すると、光ファイバの施設コストが低い。
【００２６】
光端局装置１は、基幹系ネットワークから受信した各光終端装置２宛てのデータ信号Ｄ２１〜Ｄ２３から下り信号Ｓｄを生成して、各加入者宅＃１〜＃Ｎの光終端装置２に送信する。下り信号Ｓｄは、ＴＤＭ方式に基づいて連続信号として生成される。
【００２７】
各加入者宅＃１〜＃Ｎの光終端装置２は、共通の下り信号Ｓｄを受信し、下り信号Ｓｄ内のデータ信号Ｄ２１〜Ｄ２３に含まれる識別子に基づいて、自装置宛てのデータ信号Ｄ２１〜Ｄ２３を抽出して、他のデータ信号を廃棄する。例えば、加入者宅＃１の光終端装置２は、下り信号Ｓｄからデータ信号Ｄ２１を抽出し、加入者宅＃２の光終端装置２は、下り信号Ｓｄからデータ信号Ｄ２２を抽出し、加入者宅＃Ｎの光終端装置２は、下り信号Ｓｄからデータ信号Ｄ２３を抽出する。
【００２８】
このように、下り方向において、各加入者宅＃１〜＃Ｎの光終端装置２は、自装置宛てのデータ信号Ｄ２１〜Ｄ２３だけでなく、他の光終端装置２宛てのデータ信号Ｄ２１〜Ｄ２３も受信する。このため、光端局装置１は、下り信号Ｓｄを、例えばＡＥＳ（Advanced Encryption Standard）により暗号化して送信する。このとき、各加入者宅＃１〜＃Ｎの光終端装置２は、光端局装置１から個別の暗号鍵が通知されるため、自装置宛てのデータ信号Ｄ２１〜Ｄ２３のみを正常に受信することができる。
【００２９】
一方、上り方向において、各加入者宅＃１〜＃Ｎの光終端装置２は、予め光終端装置２から指示された個別の送信タイミングに基づいて、ユーザネットワークから受信したデータ信号Ｄ１１〜Ｄ１３をそれぞれ送信する。このため、上り信号Ｓｕは、ＴＤＭＡ方式に基づいてバースト光信号として送信される。
【００３０】
したがって、各光終端装置２のデータ信号Ｄ１１〜Ｄ１３が、光カプラ３及び光端局装置１間において、互いに衝突することが回避される。なお、以降の説明において、上り信号Ｓｕに含まれるデータ信号Ｄ１１〜Ｄ１３を「バースト光信号Ｓｕ」と表記する。
【００３１】
バースト光信号Ｓｕは、光端局装置１と各光終端装置２までの距離が異なるので、光レベルが互いに異なる。光端局装置１は、光レベルが相違するバースト光信号Ｓｕを一定のレベルの電気信号に増幅して処理する。
【００３２】
図２は、バースト光信号Ｓｕの構成を示す構成図である。隣同士のバースト光信号（＃ｎ、＃ｎ＋１）Ｓｕの間には、ガードタイムと呼ばれる無信号期間が設けられている。ガードタイムは、光終端装置２の光送信器（バースト送信器）が出力するレーザの立ち上がり時間（オン時間）Ｔｏｎ、及び立ち下り時間（オフ）Ｔｏｆｆを含み、バースト光信号Ｓｕ同士の衝突を回避するために設けられている。なお、ガードタイムは、気温などの環境変化に伴うバースト光信号Ｓｕの位相変動も考慮して決定される。
【００３３】
バースト光信号Ｓｕは、プリアンブル領域、デリミタ領域、データ領域を含む。プリアンブル領域は、後述するように、ガードタイム、つまり無信号期間の影響により、バースト光信号Ｓｕの電圧レベルの基準値が変動して生ずるデータ不定期間を保護する。プリアンブル領域は、例えば二進数の「０」及び「１」の交番パタンにより形成され、受信したデータ符号が判別可能となるまでに要する時間、つまり受信セトリングタイム（Receiver settling time）の時間長を有する。プリアンブル領域は、一定の上り帯域を占有するので、受信セトリングタイムが長いほど、上り方向における帯域効率が低下する。
【００３４】
デリミタ領域は、後方のデータ領域の先頭を判別するために用いられる固定パタンにより形成される。データ領域は、ユーザデータが格納され、例えばイーサネットフレームなどにより形成される。
【００３５】
図３には、国際標準規格に定められたバースト光信号Ｓｕに関する仕様が示されている。国際標準規格としては、ＩＥＥＥ８０２．３ａｖ、ＩＴＵ−Ｔ勧告Ｇ．９８７．２、及びＩＴＵ−Ｔ勧告Ｇ．９８４．２が挙げられる。
【００３６】
図３は、各規格に仕様として定められた上りビットレート、Ｔｏｎ／Ｔｏｆｆ、ガードタイム、受信セントリングタイム（最大値）、及び同符号連続耐力を示す。このうち、同符号連続耐力は、同一の符号（二進数の「０」または「１」）が連続する場合において正常に受信可能なビット数を示す。なお、Ｔｏｎ／Ｔｏｆｆ、ガードタイム、受信セントリングタイムに関し、カッコ内に記載された数値は、当該上りビットレートに基づいて、時間をビット数に換算した値（ｂｉｔｓ）を示す。
【００３７】
Ｔｏｎ／Ｔｏｆｆ、ガードタイム、及び受信セントリングタイムに関し、ＩＴＵ−Ｔ勧告Ｇ．９８７．２、及びＩＴＵ−Ｔ勧告Ｇ．９８４．２の値は、ＩＥＥＥ８０２．３ａｖの値より小さい。このため、ＩＴＵ−Ｔの仕様に準拠したガードタイム及びプリアンブル領域の時間長は、ＩＥＥＥの仕様より短い。
【００３８】
また、同符号連続耐力に関し、ＩＴＵ−Ｔ勧告Ｇ．９８７．２、及びＩＴＵ−Ｔ勧告Ｇ．９８４．２の値は、ＩＥＥＥ８０２．３ａｖの値より大きい。このように、ＩＴＵ−Ｔの仕様は、ＩＥＥＥの仕様より厳しい。実施例に係る光受信装置は、上記の規格のうち、とりわけＩＴＵ−Ｔ勧告Ｇ．９８７．２の仕様を満足するように、同符号連続耐力を所定値以上に維持しつつ、受信セントリングタイムを短縮する。
【００３９】
次に、光受信装置の構成について説明する。図４は、光端局装置１の機能構成例を示す構成図である。
【００４０】
光端局装置１は、ＷＤＭ（Wavelength Division Multiplexing）カプラ１０と、光受信装置１１と、光送信装置１２と、信号処理部１３とを有する。ＷＤＭカプラ１０は、光ファイバ（伝送路）、光受信装置１１、及び光送信装置１２に接続されている。
【００４１】
ＷＤＭカプラ１０は、波長が相違する光を分波及び合波する光デバイスである。ＷＤＭカプラ１０は、例えば、光ファイバから入力された波長１．３１（μｍ）のバースト光信号Ｓｕを光受信装置１１に導き、光送信装置１２から入力された波長１．４９（μｍ）のバースト光信号Ｓｕを光ファイバに導く。
【００４２】
光受信装置１１は、バースト光信号Ｓｕを受信して光−電気変換することにより、正相の電気信号Ｄｕｐ及び逆相の電気信号Ｄｕｎを生成して、信号処理部１３に出力する。信号処理部１３は、正相の電気信号Ｄｕｐ及び逆相の電気信号Ｄｕｎの信号処理を行う。
【００４３】
正相の電気信号Ｄｕｐ及び逆相の電気信号Ｄｕｎは、信号処理部１３内のリタイミング回路１３１に入力される。リタイミング回路１３１は、正相の電気信号Ｄｕｐ及び逆相の電気信号Ｄｕｎを、光端局装置１内のクロック信号に同期させて出力する。
【００４４】
光受信装置１１とリタイミング回路１３１の間において、正相の電気信号Ｄｕｐ及び逆相の電気信号Ｄｕｎの各伝送線路Ｒｘｐ，Ｒｘｎは、カップリングコンデンサＣｘｐ，Ｃｘｎがそれぞれ設けられている。つまり、光受信装置１１とリタイミング回路１３１は、ＡＣ結合されている。ＡＣ結合を用いると、光受信装置１１における正相及び逆相の各電気信号の電圧の出力レベルを、リタイミング回路１３１の入力レベルに合わせる必要がないため、汎用の電気部品の使用が可能となり、コストが低減される。
【００４５】
信号処理部１３は、例えば、警報検出などのＯＡＭ（Operation Administration and Maintenance）機能の処理、及び光終端装置２に対する個別の送信タイミングの決定処理などを行う。また、信号処理部１３は、基幹系ネットワーク（例えばメトロリング網）から受信したデータ信号から、下り方向における正相の電気信号Ｄｄｐ及び逆相の電気信号Ｄｄｎを生成して暗号化し、光送信装置１２に出力する。光送信装置１２は、正相の電気信号Ｄｄｐ及び逆相の電気信号Ｄｄｎを電気−光変換して得られた下り信号Ｓｄを、ＷＤＭカプラ１０を介して光ファイバに出力する。
【００４６】
このように、光端局装置１は、ＷＤＭカプラ１０により、上り方向のバースト光信号Ｓｕ及び下り信号Ｓｄを共通の光ファイバ（伝送路）で送受信する。一方、光終端装置２も、光端局装置１と同様に、ＷＤＭカプラにより、上り方向のバースト光信号Ｓｕ及び下り信号Ｓｄを共通の光ファイバ（伝送路）で送受信する。このため、ＰＯＮは、ＷＤＭカプラにより１芯双方向伝送を行うことによっても、光ファイバの施設費を低減する。
【００４７】
図５は、比較例に係る光受信装置１１の回路を示す回路図である。光受信装置１１は、変換部１１１と、増幅部１１２とを有する。変換部１１１は、受光素子１１１ａ及び前置増幅器１１１ｂを有し、入力されたバースト光信号Ｓｕを正相の電気信号Ｄｕｐ及び逆相の電気信号Ｄｕｎに変換する。
【００４８】
受光素子１１１ａは、例えばＡＰＤ（Avalanche PhotoDiode）であり、光−電気変換によりバースト光信号Ｓｕを電流信号に変換して、前置増幅器１１１ｂに出力する。前置増幅器１１１ｂは、例えばトランスインピーダンスアンプ（TIA: TransImpedance Amplifier）であり、受光素子１１１ａから入力された電流信号を、電圧信号に変換する。より具体的には、前置増幅器１１１ｂは、差動増幅回路により正相及び逆相の各電気信号Ｄｕｐ，Ｄｕｎを生成して、一対の出力端子を介して増幅部１１２に出力する。
【００４９】
正相及び逆相の各電気信号Ｄｕｐ，Ｄｕｎは、前置増幅器１１１ｂ及び増幅部１１２間の伝送線路Ｒｉｐ，Ｒｉｎをそれぞれ介して伝送される。伝送線路Ｒｉｐ，Ｒｉｎは、カップリングコンデンサＣｐ，Ｃｎが設けられている。つまり、前置増幅器１１１ｂ及び増幅部１１２は、ＡＣ結合されている。
【００５０】
増幅部１１２は、増幅器１１２ａ及び出力バッファ１１２ｂを有し、正相の電気信号Ｄｕｐ及び逆相の電気信号Ｄｕｎを増幅する。増幅器１１２ａは、正相及び逆相の各電気信号Ｄｕｐ，Ｄｕｎを、当該電圧レベルと閾値の比較結果に基づき符号化し、出力バッファ１１２ｂに出力する。出力バッファ１１２ｂは、例えばＬＡ（Limiting Amplifier）であり、正相及び逆相の各電気信号Ｄｕｐ，Ｄｕｎを、差動増幅回路により一定の振幅の電圧信号にして、一対の出力端子を介して出力する。
【００５１】
また、図６は、光受信装置１１とリタイミング回路１３１の間のＡＣ結合の一例を示す回路図である。より具体的には、図６は、出力バッファ１１２ｂ及びリタイミング回路１３１間のＡＣ接合を示す。なお、図６において、出力バッファ１１２ｂ及びリタイミング回路１３１は、一部のみが示されている。
【００５２】
出力バッファ１１２ｂは、例えばＣＭＬ（Common Mode Logic）の差動増幅回路を有する。この差動増幅回路は、抵抗Ｒ１，Ｒ２と、トランジスタＴＲ１，ＴＲ２と、定電流源ＩＳとを有する。
【００５３】
トランジスタＴＲ１，ＴＲ２のコレクタは、抵抗Ｒ１，Ｒ２の一端にそれぞれ接続されている。抵抗Ｒ１，Ｒ２の他端は、電源Ｖｃｃに接続されている。
【００５４】
トランジスタＴＲ１，ＴＲ２のエミッタは、互いに接続され、定電流源ＩＳの一端に接続されている。定電流源ＩＳの他端は、接地電位ＧＮＤに接続されている。また、ランジスタＴＲ１，ＴＲ２のベースには、増幅器１１２ａから正相の電気信号Ｄｕｐ及び逆相の電気信号Ｄｕｎがそれぞれ入力される。正相の電気信号Ｄｕｐ及び逆相の電気信号Ｄｕｎは、出力バッファ１１２ｂにより一定の振幅の電圧信号として、伝送線路Ｒｘｐ，Ｒｘｎにそれぞれ出力される。
【００５５】
伝送線路Ｒｘｐ，Ｒｘｎは、正相の電気信号Ｄｕｐ及び逆相の電気信号Ｄｕｎがそれぞれ伝送され、出力バッファ１１２ｂを、カップリングコンデンサＣｘｐ，Ｃｘｎを介してリタイミング回路１３１内の入力バッファ１３１ａに接続する。また、リタイミング回路１３１において、伝送線路Ｒｘｐ，Ｒｘｎは、抵抗Ｒ３，Ｒ４をそれぞれ介して基準電位Ｖｒｅｆに接続されている。
【００５６】
なお、出力バッファ１１２ｂ及び入力バッファ１３１ａは、入力バッファ１３１ａにおける正相の電気信号Ｄｕｐ及び逆相の電気信号Ｄｕｎの波形の歪みを低減するために、５０（Ω）でインピーダンスマッチングがなされている。このため、出力バッファ１１２ｂから見た出力インピーダンスは、交流的に２５（Ω）になるので、出力バッファ１１２ｂの出力端及び入力バッファ１３１ａの入力端における電気信号Ｄｕｐ，Ｄｕｎの振幅は、入力バッファ１３１ａが接続されていないときに、出力バッファ１１２ｂが単体で出力する振幅の１／２となる。
【００５７】
このように、光受信装置１１は、内部の伝送線路Ｒｉｐ，Ｒｘｎ及び外部の伝送線路Ｒｘｐ，ＲｘｎにＡＣ結合を用いる。もっとも、光受信装置１１は、伝送線路Ｒｉｐ，Ｒｘｎ及び伝送線路Ｒｘｐ，Ｒｘｎの一方にのみＡＣ結合を用いてもよい。
【００５８】
ＡＣ結合を用いた場合、上述したように、バースト光信号Ｓｕ間の無信号期間（ガードタイム）のため、正相の電気信号Ｄｕｐ及び逆相の電気信号Ｄｕｎの電圧レベルの基準値が一定時間、変動する。このため、増幅部１１２及びリタイミング回路１３１は、バースト光信号Ｓｕの受信開始から一定時間、バースト光信号Ｓｕの符号を判別することができない状態となる。なお、バースト光信号Ｓｕではなく、下り信号Ｓｄのような連続信号が伝送される伝送線路にＡＣ結合を用いた場合、このような現象は発生しない。この場合、当該伝送線路のインピーダンス及びカップリングコンデンサの容量値は、適切な低域遮断周波数を満たすように選択される。
【００５９】
図７（ａ）は、出力バッファ１１２ｂから出力される正相の電気信号Ｄｕｐ及び逆相の電気信号Ｄｕｎを示す波形図であり、図７（ｂ）は、リタイミング回路１３１に入力される正相の電気信号Ｄｕｐ及び逆相の電気信号Ｄｕｎを示す波形図である。また、図７（ａ）及び図７（ｂ）には、バースト光信号Ｓｕも、正相の電気信号Ｄｕｐ及び逆相の電気信号Ｄｕｎとタイミングを合わせて示されている。なお、本例では、出力バッファ１１２ｂ及びリタイミング回路１３１間のＡＣ接合を例に挙げて説明するが、変換部１１１と増幅部１１２の間のＡＣ結合についても、内容は同様である。
【００６０】
無信号期間において、出力バッファ１１２ｂの出力電圧の直流成分は、カップリングコンデンサＣｘｐ，Ｃｘｎの遮断周波数によりリタイミング回路１３１から遮断されるので、出力バッファ１１２ｂ単体、つまり差動増幅回路の電圧レベルとなる。すなわち、出力バッファ１１２ｂ側の伝送線路Ｒｘｐ，Ｒｘｎの各電圧は、それぞれ、基準電圧Ｖｒｅｆout−α及び基準電圧Ｖｒｅｆout＋αとなる（αは、回路設計により決定される値）。一方、リタイミング回路１３１の入力電圧、つまりカップリングコンデンサＣｘｐ，Ｃｘｎとリタイミング回路１３１の間の伝送線路Ｒｘｐ，Ｒｘｎの動作点電圧は、基準電圧Ｖｒｅｆinとなる。
【００６１】
その後、バースト光信号Ｓｕが入力されると、正相の電気信号Ｄｕｐ及び逆相の電気信号Ｄｕｎは、本来の基準電圧Ｖｒｅｆinから変動したＶｒｅｆin＋α／４，Ｖｒｅｆin−α／４を動作点電圧（バイアス点）として、リタイミング回路１３１に入力される。つまり、正相の電気信号Ｄｕｐ及び逆相の電気信号Ｄｕｎの基準電圧が不平衡状態となる。このため、リタイミング回路１３１は、波形歪みやパルス変動が生ずることにより、正相の電気信号Ｄｕｐ及び逆相の電気信号Ｄｕｎの符号を判別することができない状態となる。
【００６２】
しかし、リタイミング回路１３１の入力信号の動作点電圧の変動は、インピーダンスや遮断周波数により決定される時定数に応じて収束する。このため、正相の電気信号Ｄｕｐ及び逆相の電気信号Ｄｕｎは、一定時間経過後、本来の基準電圧Ｖｒｅｆinを動作点電圧として、リタイミング回路１３１に入力される。これにより、リタイミング回路１３１は、正相の電気信号Ｄｕｐ及び逆相の電気信号Ｄｕｎの符号を判別できる状態に移行する。
【００６３】
このように、正相の電気信号Ｄｕｐ及び逆相の電気信号Ｄｕｎは、リタイミング回路１３１に入力されたとき、無信号期間（ガードタイム）のため、符号の判別が不可能な期間ＴＸを有する。したがって、バースト光信号Ｓｕは、この期間ＴＸ分のプリアンブル領域（図２参照）が設けられている。プリアンブル領域は、上述したように、一定の伝送帯域を消費するため、上り方向の帯域効率を低下させる。
【００６４】
データ判別が不可能な期間ＴＸは、伝送線路Ｒｘｐ，Ｒｘｎのインピーダンス及びカップリングコンデンサＣｘｐ，Ｃｘｎの容量値に基づく時定数に依存する。このため、カップリングコンデンサＣｘｐ，Ｃｘｎの容量値を小さくすることにより、当該期間ＴＸを短縮し、帯域効率を改善することが可能である。
【００６５】
しかし、カップリングコンデンサＣｘｐ，Ｃｘｎの容量値を小さくすると、バースト光信号Ｓｕ内の連続する同一符号による符号間干渉を強めることとなるので、受信感度の劣化及び符号判別誤りが生じ、伝送品質を劣化させる結果となる。つまり、ＰＯＮの上り方向において、帯域効率及び伝送品質は、トレードオフの関係にある。なお、基準電圧の変動を補償する制御方式を採用するとしても、高速信号の電圧レベルの変動を検出する回路は、構成が複雑で、高コストとなるため、現実的ではない。
【００６６】
図８は、受信セトリングタイムに対する同符号連続耐力の関係を示すグラフである。また、図９には、ＩＴＵ−Ｔ勧告Ｇ．９８７．２の仕様に対する受信セトリングタイムの概算値が示されている。図９において、ペナルティとは、同符号が連続して受信された場合において、同符号連続ビット数に応じて動作点電圧が変動することにより生ずる光受信装置１１の受信感度の劣化量を表す。図８のグラフは、このペナルティごとに、受信セトリングタイムに対する同符号連続耐力の変化を算出して得たものである。
【００６７】
図８を参照すると理解されるように、受信セントリングタイム及びペナルティは、トレードオフの関係にあり、受信セントリングタイム及び同符号連続耐力は、比例関係にある。ＩＴＵ−Ｔ勧告Ｇ．９８７．２の仕様において、同符号連続耐力は７２（ｂｉｔｓ）であるので、必要とされる最小の受信セントリングタイムは、ペナルティが０．５（ｄＢ）の場合に４２５７（ｂｉｔｓ）と算出される。なお、このときのカップリングコンデンサＣｘｐ，Ｃｘｎの容量値は、５．６（ｎＦ）となる。
【００６８】
しかし、ＩＴＵ−Ｔ勧告Ｇ．９８７．２の仕様において、受信セントリングタイム（最大値）は、目標値が１６０（ｂｉｔｓ）であり、最悪値が１８５６（ｂｉｔｓ）であるので、上記の概算値は、何れの値も満さない。また、ペナルティが１．０（ｄＢ）の場合の概算値は、１５７７（ｂｉｔｓ）であり、ペナルティが３．０（ｄＢ）の場合の概算値は、２５０（ｂｉｔｓ）である。したがって、これらの場合、ＩＴＵ−Ｔ勧告Ｇ．９８７．２の仕様の最悪値は満たされるが、目標値は満たされない。
【００６９】
このように、受信セントリングタイム及び同符号連続耐力は、トレードオフの関係にある。そこで、実施例に係る光受信装置１１は、同符号連続耐力を低下させることなく、受信セントリングタイムを短縮することにより、効果的に帯域効率を改善する。
【００７０】
（第１実施例）
図１０は、第１実施例に係る光受信装置１１の回路を示す回路図である。図１０において、図５と共通する構成に関しては、同一の符号を付し、その説明を省略する。なお、図１０には、光受信装置１１の後段に接続されたリタイミング回路１３１と、光受信装置１１とリタイミング回路１３１を結ぶ正相及び逆相の各伝送線路Ｒｘｐ，Ｒｘｎも示されている。
【００７１】
光受信装置１１は、変換部１１１と、増幅部１１２と、制御部１１４と、信号検出部１１５と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。
【００７２】
変換部１１１は、受光素子１１１ａ及び前置増幅器１１１ｂを有し、入力されたバースト光信号Ｓｕを正相の電気信号Ｄｕｐ及び逆相の電気信号Ｄｕｎに変換する。正相及び逆相の各電気信号Ｄｕｐ，Ｄｕｎは、前置増幅器１１１ｂ及び増幅部１１２間の第３伝送線路Ｒｉｐ及び第４伝送線路Ｒｉｎをそれぞれ介して伝送される。第３伝送線路Ｒｉｐ及び第４伝送線路Ｒｉｎは、カップリングコンデンサＣｐ，Ｃｎがそれぞれ設けられている。
【００７３】
増幅部１１２は、増幅器１１２ａ及び出力バッファ１１２ｂを有し、正相の電気信号Ｄｕｐ及び逆相の電気信号Ｄｕｎを増幅する。増幅された正相の電気信号Ｄｕｐ及び逆相の電気信号Ｄｕｎは、第１出力端子Ｔｐ及び第２出力端子Ｔｎからリタイミング回路１３１にそれぞれ出力される。
【００７４】
第１伝送線路Ｒｐ及び第２伝送線路Ｒｎは、増幅部１１２を第１出力端子Ｔｐ及び第２出力端子Ｔｎにそれぞれ接続する。正相の電気信号Ｄｕｐ及び逆相の電気信号Ｄｕｎは、第１伝送線路Ｒｐ及び第２伝送線路Ｒｎを介し、第１出力端子Ｔｐ及び第２出力端子Ｔｎにそれぞれ伝送される。
【００７５】
正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。リタイミング回路１３１は、増幅部１１２により増幅された正相の電気信号Ｄｕｐ及び逆相の電気信号Ｄｕｎ、光端局装置１内のクロック信号に同期させて、正相及び逆相の各データ信号Ｓｘｐ，Ｓｘｎとしてそれぞれ出力する。
【００７６】
信号検出部１１５は、増幅器１１２ａから出力バッファ１１２ｂに出力される正相の電気信号Ｄｕｐ及び逆相の電気信号Ｄｕｎの電圧レベルに基づいて、バースト光信号Ｓｕが入力されたことを検出する。検出手段としては、例えば電気信号Ｄｕｐ，Ｄｕｎの電圧のピーク検出や平均検出が挙げられる。信号検出部１１５は、バースト光信号Ｓｕの入力を検出すると、検出通知信号Ｓｄｅｔ１を制御端子Ｔｃ及び制御部１１４に出力する。
【００７７】
制御部１１４は、バースト光信号Ｓｕ同士の間に設けられた無信号期間中、第１伝送線路Ｒｐと第２伝送線路Ｒｎの電位差を低減する。制御部１１４は、例えば、一端が第１伝送線路Ｒｐに接続され、他端が第２伝送線路Ｒｎに接続されたスイッチ素子であり、検出通知信号Ｓｄｅｔ１によりオンオフ制御される。なお、制御端子Ｔｃから出力された検出通知信号Ｓｄｅｔ１は、信号処理部１３における信号処理に用いられる。
【００７８】
より具体的には、制御部１１４は、無信号期間中、オン状態となることにより第１伝送線路Ｒｐ及び第２伝送線路Ｒｎ間を短絡し、バースト光信号Ｓｕが入力されている期間中、オフ状態となることにより第１伝送線路Ｒｐ及び第２伝送線路Ｒｎ間を開放する。これにより、無信号期間中、第１伝送線路Ｒｐ及び第２伝送線路Ｒｎは同電位となるので、第１伝送線路Ｒｐ及び第２伝送線路Ｒｎ間において動作点電圧の平衡状態が維持される。
【００７９】
したがって、無信号期間中、出力バッファ１１２ｂの出力電圧の直流成分は、カップリングコンデンサＣｘｐ，Ｃｘｎの遮断周波数によりリタイミング回路１３１から遮断されても、変動せずに基準電圧Ｖｒｅｆ（上記の基準電圧Ｖｒｅｆout，Ｖｒｅｆinに対応）に維持される。このため、図７（ａ）及び図７（ｂ）に示されたデータ判別が不可能な期間ＴＸが短縮されるので、プリアンブル領域、つまり受信セントリングタイム（図２参照）の短縮が可能となる。
【００８０】
一方、バースト光信号Ｓｕの入力期間中、第１伝送線路Ｒｐ及び第２伝送線路Ｒｎの各基準電圧は、正相の電気信号Ｄｕｐ及び逆相の電気信号Ｄｕｎにより所定値Ｖｒｅｆに維持される。つまり、無信号期間及びバースト光信号Ｓｕの入力期間の両方において、第１伝送線路Ｒｐ及び第２伝送線路Ｒｎ間の動作点電圧（基準電圧Ｖｒｅｆ）の平衡状態が維持される。
【００８１】
上述した動作は、カップリングコンデンサＣｘｐ，Ｃｘｎの容量値に依存しないので、本実施例に係る光受信装置１１によると、同符号連続耐圧を一定値に維持しつつ、受信セントリングタイムを短縮することが可能となり、効果的に帯域効率が改善される。
【００８２】
（第２実施例）
第１実施例において、光受信装置１１及びリタイミング回路１３１間のＡＣ結合に用いられるカップリングコンデンサＣｘｐ，Ｃｘｎは、光受信装置１１の外部の伝送線路Ｒｘｐ，Ｒｘｎに設けられたが、装置内の伝送線路Ｒｉｐ，Ｒｉｎに設けられてもよい。
【００８３】
図１１は、第２実施例に係る光受信装置１１の回路を示す回路図である。図１１において、図１０と共通する構成に関しては、同一の符号を付して、その説明を省略する。
【００８４】
光受信装置１１は、変換部１１１と、増幅部１１２と、制御部１１４と、信号検出部１１５と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。
【００８５】
本実施例に係る光受信装置１１は、内部の第１伝送線路Ｒｐ及び第２伝送線路Ｒｎに、ＡＣ結合に用いられるカップリングコンデンサＣｘｐ，Ｃｘｎが設けられている点において、第１実施例と相違する。つまり、第１伝送線路Ｒｐ及び第２伝送線路Ｒｎは、カップリングコンデンサ（キャパシタ）Ｃｘｐ，Ｃｘｎを介して、増幅部１１２を第１出力端子Ｔｐ及び第２出力端子Ｔｎにそれぞれ接続する。このように、本実施例に係る光受信装置１１は、カップリングコンデンサＣｘｐ，Ｃｘｎを内蔵することにより、リタイミング回路１３１との接続を簡素化できる。
【００８６】
制御部１１４は、無信号期間中、第１伝送線路Ｒｐにおいて増幅部１１２とカップリングコンデンサＣｘｐの間に延びる部分と、第２伝送線路Ｒｎにおいて増幅部１１２とカップリングコンデンサＣｘｎの間に延びる部分の電位差を低減する。より具体的には、制御部１１４は、無信号期間中、第１伝送線路Ｒｐ及び第２伝送線路Ｒｎの当該部分間を短絡し、バースト光信号Ｓｕの入力期間中、第１伝送線路Ｒｐ及び第２伝送線路Ｒｎの当該部分間を開放する。
【００８７】
したがって、本実施例に係る光受信装置１１によると、上述した内容と同様の作用効果を得ることができる。
【００８８】
図１２は、第１実施例及び第２実施例における信号波形を示す波形図である。図１２には、バースト光信号Ｓｕ、増幅器１１２ａと出力バッファ１１２ｂの間の電気信号Ｄｕｐ，Ｄｕｎの合成信号Ｉｄｅｔ１、検出通知信号Ｓｄｅｔ１、リタイミング回路１３１の入力端における電気信号Ｄｕｐ、及びデータ信号Ｓｘｐの波形が示されている。
【００８９】
時刻ｔ１において、バースト光信号Ｓｕが入力されると、電気信号Ｄｕｐ，Ｄｕｎの合成信号Ｉｄｅｔ１の電圧レベルは上昇し、時刻ｔ２において、所定の閾値ｔｈ１を超える。このとき、信号検出部１１５は、検出通知信号Ｓｄｅｔ１を制御部１１４に出力する。つまり、検出通知信号Ｓｄｅｔ１の電圧レベルが、ロー（「Ｌ」参照）からハイ（「Ｈ」参照）となる。
【００９０】
制御部１１４は、検出通知信号Ｓｄｅｔ１が入力されると、オン状態からオフ状態に切り替わり、第１伝送線路Ｒｐと第２伝送線路Ｒｎの間が短絡状態から開放状態となる。したがって、正相及び逆相の各電気信号Ｄｕｐ，Ｄｕｎは、動作点電圧（基準電圧Ｖｒｅｆ）の変動が抑制され、符号判別が不可能な期間ＴＸが短縮される。時刻ｔ２において、正相及び逆相の各電気信号Ｄｕｐ，Ｄｕｎは、リタイミング回路１３１に入力され、その後の時刻ｔ３において、同期処理済みのデータ信号Ｓｘｐ，Ｓｘｎが、リタイミング回路１３１から出力される。
【００９１】
なお、制御部１１４が、第１伝送線路Ｒｐと第２伝送線路Ｒｎの間を、バースト光信号Ｓｕの入力時刻ｔ１より一定時間以上早く開放した場合、動作点電圧（基準電圧Ｖｒｅｆ）の変動が発生する可能性がある。この場合、カップリングコンデンサＣｘｐ，Ｃｘｎの容量値を、より大きい値に調整することにより、動作点電圧（基準電圧Ｖｒｅｆ）の変動を抑制することが可能である。このとき、カップリングコンデンサＣｘｐ，Ｃｘｎの低域遮断周波数は低下するので、同符号間の干渉も抑制される。
【００９２】
時刻ｔ４において、バースト光信号Ｓｕの入力期間が終わり、無信号期間（ガードタイム）が到来すると、電気信号Ｄｕｐ，Ｄｕｎの合成信号Ｉｄｅｔ１の電圧レベルは下降し、時刻ｔ５において、信号検出部１１５の所定の閾値ｔｈ１を下回る。このとき、信号検出部１１５は、検出通知信号Ｓｄｅｔ１の制御部１１４への出力を停止する。つまり、検出通知信号Ｓｄｅｔ１の電圧レベルが、ハイ（「Ｈ」参照）からロー（「Ｌ」参照）となる。
【００９３】
制御部１１４は、検出通知信号Ｓｄｅｔ１の入力が停止すると、オフ状態からオン状態に切り替わり、第１伝送線路Ｒｐと第２伝送線路Ｒｎの間が開放状態から短絡状態となる。これにより、第１伝送線路Ｒｐと第２伝送線路Ｒｎは、同電位となり、第１伝送線路Ｒｐ及び第２伝送線路Ｒｎ間において動作点電圧（基準電圧Ｖｒｅｆ）の平衡状態が維持される。
【００９４】
なお、バースト光信号Ｓｕの入力期間から無信号期間に移行する時刻ｔ４と、信号検出部１１５の検出通知信号Ｓｄｅｔ１の出力停止時刻ｔ５の間には、時間差（遅延）が存在するため、動作点電圧（基準電圧Ｖｒｅｆ）の変動が発生する可能性がある。この場合、カップリングコンデンサＣｘｐ，Ｃｘｎの容量値を、所定の同符号連続耐力（例えば７２（ｂｉｔｓ））を満足する範囲内で調整することにより、時定数をより大きな値にし、動作点電圧（基準電圧Ｖｒｅｆ）の変動を抑制することが可能である。
【００９５】
上述した第１実施例及び第２実施例において、光端局装置１全体で見れば、第１伝送線路Ｒｐ及び伝送線路Ｒｘｐを１つの第５伝送線路とみなし、第２伝送線路Ｒｎ及び伝送線路Ｒｘｎを１つの第６伝送線路とみなすことができる。この場合、第５伝送線路及び第６伝送線路は、カップリングコンデンサ（キャパシタ）Ｃｘｐ，Ｃｘｎを介して増幅部１１２を信号処理部１３に接続し、正相の電気信号Ｄｕｐ及び逆相の電気信号Ｄｕｎがそれぞれ伝送される。
【００９６】
そして、制御部１１４は、無信号期間中、第５伝送線路において増幅部１１２とカップリングコンデンサＣｘｐの間に延びる部分と、第６伝送線路において増幅部１１２とカップリングコンデンサＣｘｎの間に延びる部分の電位差を低減する。なお、これは、以降の実施例のうち、出力バッファ１１２ｂとリタイミング回路１３１の間にカップリングコンデンサＣｘｐ，Ｃｘが設けられた構成を備えるものについても同様である。
【００９７】
（第３実施例）
第１実施例及び第２実施例において、制御部１１４は、増幅器１１２ａから出力バッファ１１２ｂに出力される電気信号Ｄｕｐ，Ｄｕｎの電圧レベルに基づいて、無信号期間及びバースト光信号Ｓｕの入力期間を区別したが、これに限定されない。制御部１１４は、例えば、受光素子１１１ａの出力電流の監視結果に基づいて、無信号期間及びバースト光信号Ｓｕの入力期間を区別してもよい。
【００９８】
図１３は、第３実施例に係る光受信装置１１の回路を示す回路図である。図１３において、図１０と共通する構成に関しては、同一の符号を付し、その説明を省略する。
【００９９】
光受信装置１１は、変換部１１１と、増幅部１１２と、制御部１１４と、信号検出部１１６と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。
【０１００】
本実施例に係る光受信装置１１は、信号検出部１１６が、受光素子１１１ａの電流の大きさを検出する点において、第１実施例及び第２実施例と相違する。信号検出部（検出部）１１６は、電流監視回路１１６ａ及び判定部１１６ｂを有する。
【０１０１】
電流監視回路１１６ａは、受光素子１１１ａに流れる電流を監視し、該電流を電圧信号Ｉｄｅｔ２に変換して判定部１１６ｂに出力する。電流監視回路１１６ａは、例えば、受光素子１１１ａに流れる電流の平均検出やピーク検出を行う。
【０１０２】
判定部１１６ｂは、電圧信号Ｉｄｅｔ２の電圧レベルが所定の閾値ｔｈ２を超えると、バースト光信号Ｓｕの入力期間が到来したと判断して、検出通知信号Ｓｄｅｔ２を制御部１１４及び制御端子Ｔｃに出力する。一方、電圧信号Ｉｄｅｔ２の電圧レベルは、所定の閾値ｔｈ２を下回ると、判定部１１６ｂは、無信号期間が到来したと判断して、検出通知信号Ｓｄｅｔ２の出力を停止する。
【０１０３】
制御部１１４は、検出通知信号Ｓｄｅｔ２に基づいて、第１伝送線路Ｒｐと第２伝送線路Ｒｎの間を開放及び短絡する。より具体的には、制御部１１４は、検出通知信号Ｓｄｅｔ２が入力されたとき、第１伝送線路Ｒｐと第２伝送線路Ｒｎの間を開放し、検出通知信号Ｓｄｅｔ２の入力の停止中、第１伝送線路Ｒｐと第２伝送線路Ｒｎの間を短絡する。
【０１０４】
したがって、本実施例に係る光受信装置１１によると、上述した内容と同様の作用効果を得ることができる。また、本実施例において、制御部１１４は、増幅部１１２より前段に設けられた受光素子１１１ａの電流に基づき、第１伝送線路Ｒｐと第２伝送線路Ｒｎの間を開放及び短絡するので、第１実施例及び第２実施例より制御タイミングの精度が向上する。
【０１０５】
（第４実施例）
第３実施例において、光受信装置１１及びリタイミング回路１３１間のＡＣ結合に用いられるカップリングコンデンサＣｘｐ，Ｃｘｎは、光受信装置１１の外部の伝送線路Ｒｘｐ，Ｒｘｎに設けられたが、装置内の伝送線路Ｒｉｐ，Ｒｉｎに設けられてもよい。
【０１０６】
図１４は、第４実施例に係る光受信装置１１の回路を示す回路図である。図１４において、図１３と共通する構成に関しては、同一の符号を付して、その説明を省略する。
【０１０７】
光受信装置１１は、変換部１１１と、増幅部１１２と、制御部１１４と、信号検出部１１６と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。
【０１０８】
本実施例に係る光受信装置１１は、内部の第１伝送線路Ｒｐ及び第２伝送線路Ｒｎに、ＡＣ結合に用いられるカップリングコンデンサＣｘｐ，Ｃｘｎが設けられている点において、第３実施例と相違する。つまり、第１伝送線路Ｒｐ及び第２伝送線路Ｒｎは、カップリングコンデンサ（キャパシタ）Ｃｘｐ，Ｃｘｎを介して、増幅部１１２を第１出力端子Ｔｐ及び第２出力端子Ｔｎにそれぞれ接続する。このように、本実施例に係る光受信装置１１は、カップリングコンデンサＣｘｐ，Ｃｘｎを内蔵することにより、リタイミング回路１３１との接続を簡素化できる。
【０１０９】
制御部１１４は、無信号期間中、第１伝送線路Ｒｐにおいて増幅部１１２とカップリングコンデンサＣｘｐの間に延びる部分と、第２伝送線路Ｒｎにおいて増幅部１１２とカップリングコンデンサＣｘｎの間に延びる部分の電位差を低減する。より具体的には、制御部１１４は、無信号期間中、第１伝送線路Ｒｐ及び第２伝送線路Ｒｎの当該部分間を短絡し、バースト光信号Ｓｕの入力期間中、第１伝送線路Ｒｐ及び第２伝送線路Ｒｎの当該部分間を開放する。
【０１１０】
したがって、本実施例に係る光受信装置１１によると、上述した内容と同様の作用効果を得ることができる。
【０１１１】
図１５は、第３実施例及び第４実施例における信号波形を示す波形図である。図１５には、バースト光信号Ｓｕ、電圧信号Ｉｄｅｔ２、検出通知信号Ｓｄｅｔ２、リタイミング回路１３１の入力端における電気信号Ｄｕｐ、及びデータ信号Ｓｘｐの波形が示されている。
【０１１２】
時刻ｔ１において、バースト光信号Ｓｕが入力されると、受光素子１１１ａから出力される電流は増加する。このため、電圧信号Ｉｄｅｔ２の電圧レベルは上昇し、時刻ｔ２において所定の閾値ｔｈ２を超える。このとき、判定部１１６ｂは、検出通知信号Ｓｄｅｔ２を制御部１１４に出力する。つまり、検出通知信号Ｓｄｅｔ２の電圧レベルが、ロー（「Ｌ」参照）からハイ（「Ｈ」参照）となる。
【０１１３】
制御部１１４は、検出通知信号Ｓｄｅｔ２が入力されると、オン状態からオフ状態に切り替わり、第１伝送線路Ｒｐと第２伝送線路Ｒｎの間が短絡状態から開放状態となる。したがって、正相及び逆相の各電気信号Ｄｕｐ，Ｄｕｎは、動作点電圧（基準電圧Ｖｒｅｆ）の変動が抑制され、符号判別が不可能な期間ＴＸが短縮される。時刻ｔ２において、正相及び逆相の各電気信号Ｄｕｐ，Ｄｕｎは、リタイミング回路１３１に入力され、その後の時刻ｔ３において、同期処理済みのデータ信号Ｓｘｐ，Ｓｘｎが、リタイミング回路１３１から出力される。
【０１１４】
なお、制御部１１４が、第１伝送線路Ｒｐと第２伝送線路Ｒｎの間を、バースト光信号Ｓｕの入力時刻ｔ１より一定時間以上早く開放した場合、動作点電圧（基準電圧Ｖｒｅｆ）の変動が発生する可能性がある。この場合、カップリングコンデンサＣｘｐ，Ｃｘｎの容量値を、より大きい値に調整することにより、動作点電圧（基準電圧Ｖｒｅｆ）の変動を抑制することが可能である。このとき、カップリングコンデンサＣｘｐ，Ｃｘｎの低域遮断周波数は低下するので、同符号間の干渉も抑制される。
【０１１５】
時刻ｔ４において、バースト光信号Ｓｕの入力期間が終わり、無信号期間（ガードタイム）が到来すると、受光素子１１１ａから出力される電流は減少する。このため、電圧信号Ｉｄｅｔ２の電圧レベルは下降し、時刻ｔ５において、所定の閾値ｔｈ２を下回る。このとき、判定部１１６ｂは、検出通知信号Ｓｄｅｔ２の制御部１１４への出力を停止する。つまり、検出通知信号Ｓｄｅｔ２の電圧レベルが、ハイ（「Ｈ」参照）からロー（「Ｌ」参照）となる。
【０１１６】
制御部１１４は、検出通知信号Ｓｄｅｔ２の入力が停止すると、オフ状態からオン状態に切り替わり、第１伝送線路Ｒｐと第２伝送線路Ｒｎの間が開放状態から短絡状態となる。これにより、第１伝送線路Ｒｐと第２伝送線路Ｒｎは、同電位となり、第１伝送線路Ｒｐ及び第２伝送線路Ｒｎ間において動作点電圧（基準電圧Ｖｒｅｆ）の平衡状態が維持される。
【０１１７】
なお、バースト光信号Ｓｕの入力期間から無信号期間に移行する時刻ｔ４と、信号検出部１１５の検出通知信号Ｓｄｅｔ２の出力停止時刻ｔ５の間には、時間差（遅延）が存在するため、動作点電圧（基準電圧Ｖｒｅｆ）の変動が発生する可能性がある。この場合、カップリングコンデンサＣｘｐ，Ｃｘｎの容量値を、所定の同符号連続耐力（例えば７２（ｂｉｔｓ））を満足する範囲内で調整することにより、時定数をより大きな値にし、動作点電圧（基準電圧Ｖｒｅｆ）の変動を抑制することが可能である。
【０１１８】
（第５実施例）
第１〜第４実施例において、変換部１１１と増幅部１１２の間の第３及び第４伝送線路Ｒｉｐ，Ｒｉｎは、カップリングコンデンサＣｐ，ＣｎによりそれぞれＡＣ結合されているが、第３及び第４伝送線路Ｒｉｐ，Ｒｉｎの各電位は、制御されない。そこで、変換部１１１と増幅部１１２の間の第３及び第４伝送線路Ｒｉｐ，Ｒｉｎの各電位も、上述した制御部１１４と同様に制御することにより、第３及び第４伝送線路Ｒｉｐ，Ｒｉｎの動作点電圧（基準電圧Ｖｒｅｆ）の変動を低減してもよい。
【０１１９】
図１６は、第５実施例に係る光受信装置１１の回路を示す回路図である。図１６において、図１３と共通する構成に関しては、同一の符号を付して、その説明を省略する。
【０１２０】
光受信装置１１は、変換部１１１と、増幅部１１２と、制御部１１４と、信号検出部１１６と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。また、第３伝送線路Ｒｉｐ及び第４伝送線路Ｒｉｎは、カップリングコンデンサＣｐ，Ｃｎを介して変換部１１１を増幅部１１２に接続する。
【０１２１】
本実施例に係る光受信装置１１は、第１〜第４実施例とは異なり、第３伝送線路Ｒｉｐ及び第４伝送線路Ｒｉｎの電位差を低減する入力側制御部（制御部）１１７を、さらに有する。より具体的には、入力側制御部１１７は、無信号期間中、第３伝送線路Ｒｉｐにおいて変換部１１１とカップリングコンデンサＣｐの間に延びる部分と、第４伝送線路Ｒｉｎにおいて変換部１１１とカップリングコンデンサＣｎの間に延びる部分の電位差を低減する。
【０１２２】
入力側制御部１１７は、例えば、一端が第３伝送線路Ｒｉｐに接続され、他端が第４伝送線路Ｒｉｎに接続されたスイッチ素子であり、検出通知信号Ｓｄｅｔ１によりオンオフ制御される。なお、制御端子Ｔｃから出力された検出通知信号Ｓｄｅｔ１は、信号処理部１３における信号処理に用いられる。
【０１２３】
信号検出部１１６は、検出通知信号Ｓｄｅｔ２を制御部１１４、入力側制御部１１７、及び制御端子Ｔｃに出力する。入力側制御部１１７は、例えば、一端が第３伝送線路Ｒｉｐに接続され、他端が第４伝送線路Ｒｉｎに接続されたスイッチ素子であり、制御部１１４と同様に、検出通知信号Ｓｄｅｔ２に基づいて、第３伝送線路Ｒｉｐと第４伝送線路Ｒｉｎの間を開放及び短絡する。より具体的には、入力側制御部１１７は、検出通知信号Ｓｄｅｔ２が入力されたとき、第３伝送線路Ｒｉｐと第４伝送線路Ｒｉｎの間を開放し、検出通知信号Ｓｄｅｔ２の入力が停止中、第３伝送線路Ｒｉｐと第４伝送線路Ｒｉｎの間を短絡する。
【０１２４】
したがって、本実施例に係る光受信装置１１によると、第１伝送線路Ｒｐ及び第２伝送線路Ｒｎ間における動作点電圧（基準電圧Ｖｒｅｆ）の平衡状態だけでなく、第３伝送線路Ｒｉｐ及び第４伝送線路Ｒｉｎ間における動作点電圧（基準電圧Ｖｒｅｆ０）の平衡状態も維持される。
【０１２５】
（第６実施例）
第５実施例において、光受信装置１１及びリタイミング回路１３１間のＡＣ結合に用いられるカップリングコンデンサＣｘｐ，Ｃｘｎは、光受信装置１１の外部の伝送線路Ｒｘｐ，Ｒｘｎに設けられたが、装置内の伝送線路Ｒｉｐ，Ｒｉｎに設けられてもよい。
【０１２６】
図１７は、第６実施例に係る光受信装置１１の回路を示す回路図である。図１７において、図１６と共通する構成に関しては、同一の符号を付して、その説明を省略する。
【０１２７】
光受信装置１１は、変換部１１１と、増幅部１１２と、制御部１１４と、入力側制御部１１７と、信号検出部１１６と、第１伝送線路Ｒｐと、第２伝送線路Ｒｎと、第３伝送線路Ｒｉｐと、第４伝送線路Ｒｉｎとを有する。光受信装置１１は、さらに、第１出力端子Ｔｐと、第２出力端子Ｔｎと、制御端子Ｔｃとを有する。
【０１２８】
本実施例に係る光受信装置１１は、内部の第１伝送線路Ｒｐ及び第２伝送線路Ｒｎに、ＡＣ結合に用いられるカップリングコンデンサＣｘｐ，Ｃｘｎが設けられている点において、第５実施例と相違する。つまり、第１伝送線路Ｒｐ及び第２伝送線路Ｒｎは、カップリングコンデンサ（キャパシタ）Ｃｘｐ，Ｃｘｎを介して、増幅部１１２を第１出力端子Ｔｐ及び第２出力端子Ｔｎにそれぞれ接続する。このように、本実施例に係る光受信装置１１は、カップリングコンデンサＣｘｐ，Ｃｘｎを内蔵することにより、リタイミング回路１３１との接続を簡素化できる。
【０１２９】
制御部１１４は、無信号期間中、第１伝送線路Ｒｐにおいて増幅部１１２とカップリングコンデンサＣｘｐの間に延びる部分と、第２伝送線路Ｒｎにおいて増幅部１１２とカップリングコンデンサＣｘｎの間に延びる部分の電位差を低減する。より具体的には、制御部１１４は、無信号期間中、第１伝送線路Ｒｐ及び第２伝送線路Ｒｎの当該部分間を短絡し、バースト光信号Ｓｕの入力期間中、第１伝送線路Ｒｐ及び第２伝送線路Ｒｎの当該部分間を開放する。
【０１３０】
入力側制御部１１７は、無信号期間中、第３伝送線路Ｒｉｐにおいて前置増幅部１１１ｂとカップリングコンデンサＣｐの間に延びる部分と、第４伝送線路Ｒｉｎにおいて前置増幅部１１１ｂとカップリングコンデンサＣｎの間に延びる部分の電位差を低減する。より具体的には、入力側制御部１１７は、無信号期間中、第３伝送線路Ｒｉｐ及び第４伝送線路Ｒｉｎの当該部分間を短絡し、バースト光信号Ｓｕの入力期間中、第３伝送線路Ｒｉｐ及び第４伝送線路Ｒｉｎの当該部分間を開放する。
【０１３１】
したがって、本実施例に係る光受信装置１１によると、上述した内容と同様の作用効果を得ることができる。
【０１３２】
図１８は、第５実施例及び第６実施例における信号波形を示す波形図である。図１８には、バースト光信号Ｓｕ、電圧信号Ｉｄｅｔ２、検出通知信号Ｓｄｅｔ２の波形が示されている。図１８には、さらに、増幅器１１２ａの入力端における電気信号Ｄｕｐ、リタイミング回路１３１の入力端における電気信号Ｄｕｐ、及びデータ信号Ｓｘｐの波形が示されている。
【０１３３】
時刻ｔ１において、バースト光信号Ｓｕが入力されると、受光素子１１１ａから出力される電流は増加する。このため、電圧信号Ｉｄｅｔ２の電圧レベルは上昇し、時刻ｔ２において、所定の閾値ｔｈ２を超える。このとき、判定部１１６ｂは、検出通知信号Ｓｄｅｔ２を制御部１１４及び入力側制御部１１７に出力する。つまり、検出通知信号Ｓｄｅｔ２の電圧レベルが、ロー（「Ｌ」参照）からハイ（「Ｈ」参照）となる。
【０１３４】
入力側制御部１１７は、検出通知信号Ｓｄｅｔ２が入力されると、オン状態からオフ状態に切り替わり、第３伝送線路Ｒｉｐと第４伝送線路Ｒｉｎの間が短絡状態から開放状態となる。また、制御部１１４は、検出通知信号Ｓｄｅｔ２が入力されると、オン状態からオフ状態に切り替わり、第１伝送線路Ｒｐと第２伝送線路Ｒｎの間が短絡状態から開放状態となる。
【０１３５】
したがって、正相及び逆相の各電気信号Ｄｕｐ，Ｄｕｎは、第１伝送線路Ｒｐ、第２伝送線路Ｒｎ、第３伝送線路Ｒｉｐ、及び第４伝送線路Ｒｉｎにおいて、動作点電圧（基準電圧Ｖｒｅｆ）の変動が抑制され、符号判別が不可能な期間ＴＸが短縮される。時刻ｔ２において、正相及び逆相の各電気信号Ｄｕｐ，Ｄｕｎは、増幅器１１２ａに入力され、その後の時刻ｔ２３において、リタイミング回路１３１に入力される。そして、時刻ｔ３において、同期処理済みのデータ信号Ｓｘｐ，Ｓｘｎが、リタイミング回路１３１から出力される。
【０１３６】
時刻ｔ４において、バースト光信号Ｓｕの入力期間が終わり、無信号期間（ガードタイム）が到来すると、受光素子１１１ａから出力される電流は減少する。このため、電圧信号Ｉｄｅｔ２の電圧レベルは下降し、時刻ｔ５において、所定の閾値ｔｈ２を下回る。このとき、判定部１１６ｂは、検出通知信号Ｓｄｅｔ２の制御部１１４及び入力側制御部１１７への出力を停止する。つまり、検出通知信号Ｓｄｅｔ２の電圧レベルが、ハイ（「Ｈ」参照）からロー（「Ｌ」参照）となる。
【０１３７】
入力側制御部１１７は、検出通知信号Ｓｄｅｔ２の入力が停止すると、オフ状態からオン状態に切り替わり、第３伝送線路Ｒｉｐと第４伝送線路Ｒｉｎの間が開放状態から短絡状態となる。これにより、第３伝送線路Ｒｉｐと第４伝送線路Ｒｉｎは、同電位となり、第３伝送線路Ｒｉｐ及び第４伝送線路Ｒｉｎ間において動作点電圧（基準電圧Ｖｒｅｆ０）の平衡状態が維持される。
【０１３８】
また、制御部１１４は、検出通知信号Ｓｄｅｔ２の入力が停止すると、オフ状態からオン状態に切り替わり、第１伝送線路Ｒｐと第２伝送線路Ｒｎの間が開放状態から短絡状態となる。これにより、第１伝送線路Ｒｐと第２伝送線路Ｒｎは、同電位となり、第１伝送線路Ｒｐ及び第２伝送線路Ｒｎ間において動作点電圧（基準電圧Ｖｒｅｆ）の平衡状態が維持される。
【０１３９】
（第７実施例）
第１〜第６実施例において、制御部１１４及び入力側制御部１１７は、信号検出部１１５，１１６の検出通知信号Ｓｄｅｔ１，Ｓｄｅｔ２に基づいて、第１伝送線路Ｒｐと第２伝送線路Ｒｎの間及び第３伝送線路Ｒｉｐと第４伝送線路Ｒｉｎの間の電位差を低減する。しかし、制御部１１４及び入力側制御部１１７は、信号検出部１１５，１１６の検出通知信号Ｓｄｅｔ１，Ｓｄｅｔ２に代えて、外部から入力された制御信号に基づいて、当該電位差の制御を行ってもよい。
【０１４０】
図１９は、第７実施例に係る光受信装置１１の回路を示す回路図である。図１９において、図１６と共通する構成に関しては、同一の符号を付して、その説明を省略する。
【０１４１】
光受信装置１１は、変換部１１１と、増幅部１１２と、制御部１１４と、入力側制御部１１７と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、入力端子Ｔｉｎとを有する。正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。
【０１４２】
本実施例に係る光受信装置１１は、外部からの制御信号ＣＮＴが、入力端子Ｔｉｎを介して制御部１１４及び入力側制御部１１７に入力される点において、第５実施例と異なる。制御部１１４は、制御信号ＣＮＴに基づいて、第１伝送線路Ｒｐと第２伝送線路Ｒｎの間の電位差を制御し、入力側制御部１１７は、制御信号ＣＮＴに基づいて、第３伝送線路Ｒｉｐと第４伝送線路Ｒｉｎの間の電位差を制御する。
【０１４３】
より具体的には、制御部１１４は、制御信号ＣＮＴが入力されたとき、つまり、制御信号ＣＮＴの電圧がハイレベルであるとき、第１伝送線路Ｒｐと第２伝送線路Ｒｎの間を短絡する。また、制御部１１４は、制御信号ＣＮＴの入力の停止中、つまり、制御信号ＣＮＴの電圧がローレベルであるとき、第１伝送線路Ｒｐと第２伝送線路Ｒｎの間を開放する。また、入力側制御部１１７は、制御信号ＣＮＴが入力されたとき、第３伝送線路Ｒｉｐと第４伝送線路Ｒｉｎの間を短絡し、制御信号ＣＮＴが入力の停止中、第３伝送線路Ｒｉｐと第４伝送線路Ｒｉｎの間を開放する。
【０１４４】
制御信号ＣＮＴは、例えば信号処理部１３により生成され、光受信装置１１に入力される。信号処理部１３は、例えば、各光終端装置２に指示した個別の送信タイミングに基づいて、各光終端装置２のバースト光信号Ｓｕの光受信装置１１への到着タイミングを予測し、当該予測タイミングに基づいて制御信号ＣＮＴを生成する。
【０１４５】
したがって、本実施例に係る光受信装置１１によると、上述した内容と同様の作用効果を得ることができる。また、本実施例に係る光受信装置１１は、外部から入力された制御信号ＣＮＴに基づいて電位差の制御を行うので、信号検出部１１５，１１６を設けなくてよい。このため、光受信装置１１は、構成が簡素化される。
【０１４６】
（第８実施例）
第７実施例において、光受信装置１１及びリタイミング回路１３１間のＡＣ結合に用いられるカップリングコンデンサＣｘｐ，Ｃｘｎは、光受信装置１１の外部の伝送線路Ｒｘｐ，Ｒｘｎに設けられたが、装置内の伝送線路Ｒｉｐ，Ｒｉｎに設けられてもよい。
【０１４７】
図２０は、第８実施例に係る光受信装置１１の回路を示す回路図である。図２０において、図１９と共通する構成に関しては、同一の符号を付して、その説明を省略する。
【０１４８】
光受信装置１１は、変換部１１１と、増幅部１１２と、制御部１１４と、入力側制御部１１７と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、入力端子Ｔｉｎとを有する。
【０１４９】
本実施例に係る光受信装置１１は、内部の第１伝送線路Ｒｐ及び第２伝送線路Ｒｎに、ＡＣ結合に用いられるカップリングコンデンサＣｘｐ，Ｃｘｎが設けられている点において、第７実施例と相違する。つまり、第１伝送線路Ｒｐ及び第２伝送線路Ｒｎは、カップリングコンデンサ（キャパシタ）Ｃｘｐ，Ｃｘｎを介して、増幅部１１２を第１出力端子Ｔｐ及び第２出力端子Ｔｎにそれぞれ接続する。このように、本実施例に係る光受信装置１１は、カップリングコンデンサＣｘｐ，Ｃｘｎを内蔵することにより、リタイミング回路１３１との接続を簡素化できる。
【０１５０】
制御部１１４は、無信号期間中、第１伝送線路Ｒｐにおいて増幅部１１２とカップリングコンデンサＣｘｐの間に延びる部分と、第２伝送線路Ｒｎにおいて増幅部１１２とカップリングコンデンサＣｘｎの間に延びる部分の電位差を低減する。より具体的には、制御部１１４は、無信号期間中、第１伝送線路Ｒｐ及び第２伝送線路Ｒｎの当該部分間を短絡し、バースト光信号Ｓｕの入力期間中、第１伝送線路Ｒｐ及び第２伝送線路Ｒｎの当該部分間を開放する。
【０１５１】
入力側制御部１１７は、無信号期間中、第３伝送線路Ｒｉｐにおいて前置増幅部１１１ｂとカップリングコンデンサＣｐの間に延びる部分と、第４伝送線路Ｒｉｎにおいて前置増幅部１１１ｂとカップリングコンデンサＣｎの間に延びる部分の電位差を低減する。より具体的には、入力側制御部１１７は、無信号期間中、第３伝送線路Ｒｉｐ及び第４伝送線路Ｒｉｎの当該部分間を短絡し、バースト光信号Ｓｕの入力期間中、第３伝送線路Ｒｉｐ及び第４伝送線路Ｒｉｎの当該部分間を開放する。
【０１５２】
したがって、本実施例に係る光受信装置１１によると、上述した内容と同様の作用効果を得ることができる。
【０１５３】
図２１は、第７実施例及び第８実施例における信号波形を示す波形図である。図２１には、バースト光信号Ｓｕ、制御信号ＣＮＴの波形が示されている。図１８には、さらに、増幅器１１２ａの入力端における電気信号Ｄｕｐ、リタイミング回路１３１の入力端における電気信号Ｄｕｐ、及びデータ信号Ｓｘｐの波形が示されている。
【０１５４】
制御信号ＣＮＴは、所定期間ｔＨ、ハイレベル（「Ｈ」参照）となった後、時刻ｔ０において、ローレベル（「Ｌ」参照）となる。このとき、入力側制御部１１７は、オン状態からオフ状態に切り替わり、第３伝送線路Ｒｉｐと第４伝送線路Ｒｉｎの間が短絡状態から開放状態となる。また、制御部１１４は、オン状態からオフ状態に切り替わり、第１伝送線路Ｒｐと第２伝送線路Ｒｎの間が短絡状態から開放状態となる。そして、時刻ｔ１において、バースト光信号Ｓｕが入力される。
【０１５５】
したがって、正相及び逆相の各電気信号Ｄｕｐ，Ｄｕｎは、第１伝送線路Ｒｐ、第２伝送線路Ｒｎ、第３伝送線路Ｒｉｐ、及び第４伝送線路Ｒｉｎにおいて、動作点電圧（基準電圧Ｖｒｅｆ０，Ｖｒｅｆ）の変動が抑制され、符号判別が不可能な期間ＴＸが短縮される。時刻ｔ２において、正相及び逆相の各電気信号Ｄｕｐ，Ｄｕｎは、増幅器１１２ａに入力され、その後の時刻ｔ２３において、リタイミング回路１３１に入力される。そして、時刻ｔ３において、同期処理済みのデータ信号Ｓｘｐ，Ｓｘｎが、リタイミング回路１３１から出力される。
【０１５６】
時刻ｔ４において、バースト光信号Ｓｕの入力期間が終わり、無信号期間（ガードタイム）が到来する。また、制御信号ＣＮＴは、所定期間ｔＬ、ローレベル（「Ｌ」参照）となった後、時刻ｔ５において、ハイレベル（「Ｈ」参照）となる。ここで、制御信号ＣＮＴがハイレベルになる時刻ｔ５は、バースト光信号Ｓｕの入力期間の終了時刻ｔ４の後である。
【０１５７】
入力側制御部１１７は、制御信号ＣＮＴがハイレベルになると、オフ状態からオン状態に切り替わり、第３伝送線路Ｒｉｐと第４伝送線路Ｒｉｎの間が開放状態から短絡状態となる。これにより、第３伝送線路Ｒｉｐと第４伝送線路Ｒｉｎは、同電位となり、第３伝送線路Ｒｉｐ及び第４伝送線路Ｒｉｎ間において動作点電圧（基準電圧Ｖｒｅｆ０）の平衡状態が維持される。
【０１５８】
制御部１１４は、制御信号ＣＮＴがハイレベルになると、オフ状態からオン状態に切り替わり、第１伝送線路Ｒｐと第２伝送線路Ｒｎの間が開放状態から短絡状態となる。これにより、第１伝送線路Ｒｐと第２伝送線路Ｒｎは、同電位となり、第１伝送線路Ｒｐ及び第２伝送線路Ｒｎ間において動作点電圧（基準電圧Ｖｒｅｆ）の平衡状態が維持される。
【０１５９】
（第９実施例）
第１〜第８実施例に係る光受信装置１１は、リタイミング回路１３１とＡＣ結合されているが、これに限定されず、リタイミング回路１３１とＤＣ結合されてもよい。この場合、第１伝送線路Ｒｐ及び第２伝送線路Ｒｎ間において動作点電圧（基準電圧Ｖｒｅｆ）の変動は生じないので、制御部１１４は用いられない。
【０１６０】
図２２は、第９実施例に係る光受信装置１１の回路を示す回路図である。図２２において、図１６と共通する構成に関しては、同一の符号を付して、その説明を省略する。
【０１６１】
光受信装置１１は、変換部１１１と、増幅部１１２と、信号検出部１１６と、入力側制御部１１７と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する。正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。第３伝送線路Ｒｉｐ及び第４伝送線路Ｒｉｎは、カップリングコンデンサＣｐ，Ｃｎを介して変換部１１１を増幅部１１２に接続する。
【０１６２】
本実施例に係る光受信装置１１は、第１〜第８実施例とは異なり、リタイミング回路１３１にＤＣ結合されている。つまり、光受信装置１１とリタイミング回路１３１の間の伝送線路Ｒｘｐ，Ｒｘｎは、カップリングコンデンサが設けられていない。また、出力バッファ１１２ｂと第１出力端子Ｔｐ及び第２出力端子Ｔｎの間の第１伝送線路Ｒｐ及び第２伝送線路Ｒｎにも、カップリングコンデンサが設けられていない。このため、出力バッファ１１２ｂの出力電圧レベルは、リタイミング回路１３１の入力電圧レベルに従って調整されている。
【０１６３】
このように、本実施例では、光受信装置１１とリタイミング回路１３１の間の接続にＤＣ結合が用いられるので、第１伝送線路Ｒｐと第２伝送線路Ｒｎの間の動作点電圧（基準電圧Ｖｒｅｆ）の変動は生じない。
【０１６４】
一方、変換部１１１は、増幅部１１２にＡＣ結合されている。つまり、前置増幅器１１１ｂと増幅器１１２ａの間の第３伝送線路Ｒｉｐ及び第４伝送線路Ｒｉｎは、カップリングコンデンサＣｐ，Ｃｎが設けられている。このため、入力側制御部１１７は、上述したように、無信号期間中、第３伝送線路Ｒｉｐ及び第４伝送線路Ｒｉｎの電位差を低減する。
【０１６５】
したがって、本実施例に係る光受信装置１１によると、上述した内容と同様の作用効果を得ることができる。
【０１６６】
図２３は、第９実施例における信号波形を示す波形図である。図２３には、バースト光信号Ｓｕ、電圧信号Ｉｄｅｔ２、検出通知信号Ｓｄｅｔ２の波形が示されている。図２３には、さらに、増幅器１１２ａの入力端における電気信号Ｄｕｐ、リタイミング回路１３１の入力端における電気信号Ｄｕｐ、及びデータ信号Ｓｘｐの波形が示されている。なお、本実施例において、光受信装置１１は、リタイミング回路１３１にＤＣ接合されているので、リタイミング回路１３１の入力端における電気信号Ｄｕｐは、基準電位が接地電位ＧＮＤとなる。
【０１６７】
時刻ｔ１において、バースト光信号Ｓｕが入力されると、受光素子１１１ａから出力される電流は増加する。このため、電圧信号Ｉｄｅｔ２の電圧レベルは上昇し、時刻ｔ２において、所定の閾値ｔｈ２を超える。このとき、判定部１１６ｂは、検出通知信号Ｓｄｅｔ２を制御部１１４及び入力側制御部１１７に出力する。つまり、検出通知信号Ｓｄｅｔ２の電圧レベルが、ロー（「Ｌ」参照）からハイ（「Ｈ」参照）となる。
【０１６８】
入力側制御部１１７は、検出通知信号Ｓｄｅｔ２が入力されると、オン状態からオフ状態に切り替わり、第３伝送線路Ｒｉｐと第４伝送線路Ｒｉｎの間が短絡状態から開放状態となる。
【０１６９】
したがって、正相及び逆相の各電気信号Ｄｕｐ，Ｄｕｎは、第３伝送線路Ｒｉｐ及び第４伝送線路Ｒｉｎにおいて、動作点電圧（基準電圧Ｖｒｅｆ）の変動が抑制され、符号判別が不可能な期間ＴＸが短縮される。時刻ｔ２において、正相及び逆相の各電気信号Ｄｕｐ，Ｄｕｎは、増幅器１１２ａに入力され、その後の時刻ｔ２３において、リタイミング回路１３１に入力される。そして、時刻ｔ３において、同期処理済みのデータ信号Ｓｘｐ，Ｓｘｎが、リタイミング回路１３１から出力される。
【０１７０】
時刻ｔ４において、バースト光信号Ｓｕの入力期間が終わり、無信号期間（ガードタイム）が到来すると、受光素子１１１ａから出力される電流は減少する。このため、電圧信号Ｉｄｅｔ２の電圧レベルは下降し、時刻ｔ５において、所定の閾値ｔｈ２を下回る。このとき、判定部１１６ｂは、検出通知信号Ｓｄｅｔ２の制御部１１４及び入力側制御部１１７への出力を停止する。つまり、検出通知信号Ｓｄｅｔ２の電圧レベルが、ハイ（「Ｈ」参照）からロー（「Ｌ」参照）となる。
【０１７１】
入力側制御部１１７は、検出通知信号Ｓｄｅｔ２の入力が停止すると、オフ状態からオン状態に切り替わり、第３伝送線路Ｒｉｐと第４伝送線路Ｒｉｎの間が開放状態から短絡状態となる。これにより、第３伝送線路Ｒｉｐと第４伝送線路Ｒｉｎは、同電位となり、第３伝送線路Ｒｉｐ及び第４伝送線路Ｒｉｎ間において動作点電圧（基準電圧Ｖｒｅｆ０）の平衡状態が維持される。
【０１７２】
（第１０実施例）
第９実施例において、入力側制御部１１７は、信号検出部１１６の検出通知信号Ｓｄｅｔ２に基づいて、第３伝送線路Ｒｉｐと第４伝送線路Ｒｉｎの間の電位差を低減する。しかし、入力側制御部１１７は、信号検出部１１６の検出通知信号Ｓｄｅｔ２に代えて、外部から入力された制御信号に基づいて、当該電位差の制御を行ってもよい。
【０１７３】
図２４は、第１０実施例に係る光受信装置１１の回路を示す回路図である。図２４において、図２２と共通する構成に関しては、同一の符号を付して、その説明を省略する。
【０１７４】
光受信装置１１は、変換部１１１と、増幅部１１２と、入力側制御部１１７と、第１伝送線路Ｒｐと、第２伝送線路Ｒｎと、第３伝送線路Ｒｉｐと、第４伝送線路Ｒｉｎと、第１出力端子Ｔｐと、第２出力端子Ｔｎと、制御端子Ｔｃとを有する正相の電気信号Ｄｕｐ及び逆相の電気信号Ｄｕｎは、第１出力端子Ｔｐ及び第２出力端子Ｔｎから出力された後、正相及び逆相の各伝送線路Ｒｘｐ，Ｒｘｎをそれぞれ介して、リタイミング回路１３１に入力される。伝送線路Ｒｘｐ，Ｒｘｎは、カップリングコンデンサＣｘｐ，Ｃｘｎがそれぞれ設けられている。第３伝送線路Ｒｉｐ及び第４伝送線路Ｒｉｎは、カップリングコンデンサＣｐ，Ｃｎを介して変換部１１１を増幅部１１２に接続する。
【０１７５】
本実施例に係る光受信装置１１は、外部からの制御信号ＣＮＴが、入力端子Ｔｉｎを介して入力側制御部１１７に入力される点において、第９実施例と異なる。入力側制御部１１７は、制御信号ＣＮＴに基づいて、第３伝送線路Ｒｉｐと第４伝送線路Ｒｉｎの間の電位差を制御する。より具体的には、入力側制御部１１７は、制御信号ＣＮＴが入力されたとき、第３伝送線路Ｒｉｐと第４伝送線路Ｒｉｎの間を短絡し、制御信号ＣＮＴの入力の停止中、第３伝送線路Ｒｉｐと第４伝送線路Ｒｉｎの間を開放する。なお、制御信号ＣＮＴについては、第７実施例において説明した通りである。
【０１７６】
したがって、本実施例に係る光受信装置１１によると、上述した内容と同様の作用効果を得ることができる。
【０１７７】
図２５は、第１０実施例における信号波形を示す波形図である。図２５には、バースト光信号Ｓｕ、制御信号ＣＮＴの波形が示されている。図２５には、さらに、増幅器１１２ａの入力端における電気信号Ｄｕｐ、リタイミング回路１３１の入力端における電気信号Ｄｕｐ、及びデータ信号Ｓｘｐの波形が示されている。なお、本実施例において、光受信装置１１は、リタイミング回路１３１にＤＣ接合されているので、リタイミング回路１３１の入力端における電気信号Ｄｕｐは、基準電位が接地電位ＧＮＤとなる。
【０１７８】
制御信号ＣＮＴは、所定期間ｔＨ、ハイレベル（「Ｈ」参照）となった後、時刻ｔ０において、ローレベル（「Ｌ」参照）となる。このとき、入力側制御部１１７は、オン状態からオフ状態に切り替わり、第３伝送線路Ｒｉｐと第４伝送線路Ｒｉｎの間が短絡状態から開放状態となる。そして、時刻ｔ１において、バースト光信号Ｓｕが入力される。
【０１７９】
したがって、正相及び逆相の各電気信号Ｄｕｐ，Ｄｕｎは、第３伝送線路Ｒｉｐ及び第４伝送線路Ｒｉｎにおいて、動作点電圧（基準電圧Ｖｒｅｆ０）の変動が抑制され、符号判別が不可能な期間ＴＸが短縮される。時刻ｔ２において、正相及び逆相の各電気信号Ｄｕｐ，Ｄｕｎは、増幅器１１２ａに入力され、その後の時刻ｔ２３において、リタイミング回路１３１に入力される。そして、時刻ｔ３において、同期処理済みのデータ信号Ｓｘｐ，Ｓｘｎが、リタイミング回路１３１から出力される。
【０１８０】
時刻ｔ４において、バースト光信号Ｓｕの入力期間が終わり、無信号期間（ガードタイム）が到来する。また、制御信号ＣＮＴは、所定期間ｔＬ、ローレベル（「Ｌ」参照）となった後、時刻ｔ５において、ハイレベル（「Ｈ」参照）となる。ここで、制御信号ＣＮＴがハイレベルになる時刻ｔ５は、バースト光信号Ｓｕの入力期間の終了時刻ｔ４の後である。
【０１８１】
入力側制御部１１７は、制御信号ＣＮＴがハイレベルになると、オフ状態からオン状態に切り替わり、第３伝送線路Ｒｉｐと第４伝送線路Ｒｉｎの間が開放状態から短絡状態となる。これにより、第３伝送線路Ｒｉｐと第４伝送線路Ｒｉｎは、同電位となり、第３伝送線路Ｒｉｐ及び第４伝送線路Ｒｉｎ間において、動作点電圧（基準電圧Ｖｒｅｆ０）の平衡状態が維持される。
【０１８２】
（第１１実施例）
第１〜第１０実施例において、制御部１１４及び入力側制御部１１７は、伝送線路Ｒｐ，Ｒｎ，Ｒｉｐ，Ｒｉｎの間を短絡することにより、伝送線路Ｒｐ，Ｒｎ，Ｒｉｐ，Ｒｉｎの間の電位差を低減したが、これに限定されない。制御部１１４及び入力側制御部１１７は、例えば、無信号期間中、伝送線路Ｒｐ，Ｒｎ，Ｒｉｐ，Ｒｉｎにバイアス電圧を印加することにより、伝送線路Ｒｐ，Ｒｎ，Ｒｉｐ，Ｒｉｎの間の電位差を低減してもよい。
【０１８３】
図２６は、第１１実施例に係る光受信装置１１の回路を示す回路図である。図２６は、一例として、第８実施例の制御部１１７に相当する制御部１１８、及び出力バッファ１１２ｂの回路を示す。図２６において、図６と共通する構成に関しては、同一の符号を付し、その説明を省略する。
【０１８４】
制御部１１８は、第１スイッチ素子ＳＷ１と、第２スイッチ素子ＳＷ２と、第１定電流源ＩＳｘ１と、第２定電流源ＩＳｘ２とを有する。第１スイッチ素子ＳＷ１は、例えばトランジスタであり、一端が、第１伝送線路Ｒｐに接続され、他端が、第１定電流源ＩＳｘ１を介して基準電位ＧＮＤに接続されている。第２スイッチ素子ＳＷ２は、例えばトランジスタであり、一端が、第２伝送線路Ｒｎに接続され、他端が、第２定電流源ＩＳｘ２を介して電源Ｖｃｃに接続されている。
【０１８５】
第１スイッチ素子ＳＷ１及び第２スイッチ素子ＳＷ２は、外部から入力端子Ｔｉｎを介して入力された制御信号ＣＮＴに基づいて、オンオフ制御される。なお、制御信号ＣＮＴについては、第７実施例において説明した通りである。
【０１８６】
制御部１１８は、無信号期間中、第１伝送線路Ｒｐと第２伝送線路Ｒｎの電位差が低減されるように第１伝送線路Ｒｐ及び第２伝送線路Ｒｎにバイアス電圧を印加する。より具体的には、第１スイッチ素子ＳＷ１及び第２スイッチ素子ＳＷ２は、無信号期間中、制御信号ＣＮＴに従ってオン状態となる。このため、第１伝送線路Ｒｐは、第２定電流源ＩＳｘ２に接続され、第２伝送線路Ｒｎは、第１定電流源ＩＳｘ１に接続される。
【０１８７】
このとき、第１定電流源ＩＳｘ１は、出力バッファ１１２ｂの反転端子から制御部１１８に、無信号期間に通常流れる電流値の１／２の電流値を引き出す。また、第２定電流源ＩＳｘ２は、出力バッファ１１２ｂの正転端子に、無信号期間に通常流れる電流値の１／２の電流値を流し込む。なお、第１定電流源ＩＳｘ１及び第２定電流源ＩＳｘ２は、これに限定されず、第１伝送線路Ｒｐ及び第２伝送線路Ｒｎの動作点電圧（基準電位Ｖｒｅｆ０）を平衡状態とする他の電流値を流してもよい。
【０１８８】
一方、制御部１１８は、バースト光信号Ｓｕが入力されている期間中、第１伝送線路Ｒｐ及び第２伝送線路Ｒｎへのバイアス電圧の印加を停止する。より具体的には、第１スイッチ素子ＳＷ１及び第２スイッチ素子ＳＷ２は、バースト光信号Ｓｕの入力期間中、制御信号ＣＮＴに従ってオフ状態となる。このため、第１伝送線路Ｒｐは、第１定電流源ＩＳｘ１から電気的に切り離され、第２伝送線路Ｒｎは、第２定電流源ＩＳｘ２から電気的に切り離される。
【０１８９】
このように、制御部１１８は、無信号期間中、第１伝送線路Ｒｐ及び第２伝送線路Ｒｎにバイアス電圧を印加することにより、第１伝送線路Ｒｐと第２伝送線路Ｒｎの電位差を低減する。したがって、第１伝送線路Ｒｐ及び第２伝送線路Ｒｎの動作点電圧（基準電位Ｖｒｅｆ０）が、精度よく平衡状態に維持される。
【０１９０】
よって、本実施例に係る光受信装置１１によると、上述した内容と同様の作用効果を得ることができる。なお、制御部１１８の構成は、これまで述べた実施例の制御部１１４だけでなく、入力側制御部１１７にも適用可能である。
【０１９１】
これまで述べたように、実施例に係る光受信装置１１は、変換部１１１と、増幅部１１２と、第１出力端子Ｔｐ及び第２出力端子Ｔｎと、第１伝送線路Ｒｐ及び第２伝送線路Ｒｎと、制御部１１４とを有する。変換部１１１は、入力されたバースト光信号Ｓｕを正相の電気信号Ｄｕｐ及び逆相の電気信号Ｄｕｎに変換する。増幅部１１２は、正相の電気信号Ｄｕｐ及び逆相の電気信号Ｄｕｎを増幅する。
【０１９２】
第１出力端子Ｔｐ及び第２出力端子Ｔｎは、正相の電気信号Ｄｕｐ及び逆相の電気信号Ｄｕｎがそれぞれ出力される。第１伝送線路Ｒｐ及び第２伝送線路Ｒｎは、増幅部１１２を第１出力端子Ｔｐ及び第２出力端子Ｔｎそれぞれに接続し、正相の電気信号Ｄｕｐ及び逆相の電気信号Ｄｕｎがそれぞれ伝送される。制御部１１４は、バースト光信号Ｓｕ同士の間に設けられた無信号期間中、第１伝送線路Ｒｐと第２伝送線路Ｒｎの電位差を低減する。
【０１９３】
変換部１１１は、入力されたバースト光信号Ｓｕを正相の電気信号Ｄｕｐ及び逆相の電気信号Ｄｕｎに変換し、増幅部１１２は、正相の電気信号Ｄｕｐ及び逆相の電気信号Ｄｕｎを増幅する。正相の電気信号Ｄｕｐ及び逆相の電気信号Ｄｕｎは、第１伝送線路Ｒｐ及び第２伝送線路Ｒｎによりそれぞれ伝送され、第１出力端子Ｔｐ及び第２出力端子Ｔｎからそれぞれ出力される。このため、バースト光信号Ｓｕは、光受信装置１１の後段に接続された他の回路に出力されて処理される。
【０１９４】
制御部１１４は、バースト光信号Ｓｕ同士の間に設けられた無信号期間中、第１伝送線路Ｒｐと第２伝送線路Ｒｎの電位差を低減する。このため、ＡＣ結合に用いられるカップリングコンデンサＣｘｐ，Ｃｘｎが、第１伝送線路Ｒｐ及び第２伝送線路Ｒｎ上、または第１出力端子Ｔｐ及び第２出力端子Ｔｎと他の回路の間の各伝送線路Ｒｘｐ，Ｒｘｎ上に設けられていても、第１伝送線路Ｒｐ及び第２伝送線路Ｒｎの各電圧レベルは、平衡状態に維持される。
【０１９５】
したがって、バースト光信号Ｓｕが入力されたとき、正相及び逆相の各電気信号Ｄｕｐ，Ｄｕｎの電圧レベルの基準値が変動して不平衡状態となることにより、バースト光信号Ｓｕのデータの判別ができない期間ＴＸが短縮される。このため、バースト光信号Ｓｕ内のプリアンブル領域を短縮して、帯域効率を増加させることが可能となる。このとき、カップリングコンデンサＣｘｐ，Ｃｘｎの容量値の調整を伴わないので、帯域効率及び伝送品質の両方を一定の水準とすることができる。
【０１９６】
よって、実施例に係る光受信装置１１によると、帯域効率を効果的に改善することができる。
【０１９７】
また、他の実施例に係る光受信装置１１は、変換部１１１と、増幅部１１２と、第３伝送線路Ｒｉｐ及び第４伝送線路Ｒｉｎと、制御部（入力側制御部）１１７とを有する。変換部１１１は、入力されたバースト光信号Ｓｕを正相の電気信号Ｄｕｐ及び逆相の電気信号Ｄｕｎに変換する。増幅部１１１は、正相の電気信号Ｄｕｐ及び逆相の電気信号Ｄｕｎを増幅する。
【０１９８】
第３伝送線路Ｒｉｐ及び第４伝送線路Ｒｉｎは、キャパシタ（カップリングコンデンサ）Ｃｐ，Ｃｎを介して変換部１１１を増幅部１１２に接続し、正相の電気信号Ｄｕｐ及び逆相の電気信号Ｄｕｎがそれぞれ伝送される。制御部１１７は、バースト光信号Ｓｕ同士の間に設けられた無信号期間中、第３伝送線路Ｒｉｐにおいて変換部１１１とキャパシタＣｐの間に延びる部分と、第４伝送線路Ｒｉｎにおいて変換部１１１とキャパシタＣｎの間に延びる部分の電位差を低減する。
【０１９９】
他の実施例に係る光受信装置１１は、先の実施例に係る光受信装置１１と同様の構成を有するので、上述した内容と同様の作用効果を奏する。
【０２００】
また、実施例に係る伝送装置（光端局装置）１は、変換部１１１と、増幅部１１２と、第５伝送線路Ｒｐ，Ｒｘｐ及び第６伝送線路Ｒｎ，Ｒｘｎと、制御部１１４と、信号処理部１３とを有する。変換部１１１は、入力されたバースト光信号Ｓｕを正相の電気信号Ｄｕｐ及び逆相の電気信号Ｄｕｎに変換する。増幅部１１２は、正相の電気信号Ｄｕｐ及び逆相の電気信号Ｄｕｎを増幅する。
【０２０１】
信号処理部１３は、増幅部１１２により増幅された正相の電気信号Ｄｕｐ及び逆相の電気信号Ｄｕｎを処理する。第５伝送線路Ｒｐ，Ｒｘｐ及び第６伝送線路Ｒｎ，Ｒｘｎは、キャパシタ（カップリングコンデンサ）Ｃｘｐ，Ｃｘｎを介して増幅部１１２を信号処理部１３に接続し、正相の電気信号Ｄｕｐ及び逆相の電気信号Ｄｕｎがそれぞれ伝送される。
【０２０２】
制御部１１４は、バースト光信号Ｓｕ同士の間に設けられた無信号期間中、第５伝送線路Ｒｐ，Ｒｘｐにおいて増幅部１１２とキャパシタＣｘｐの間に延びる部分と、第６伝送線路Ｒｎ，Ｒｘｎにおいて増幅部１１２とキャパシタＣｘｎの間に延びる部分の電位差を低減する。
【０２０３】
実施例に係る伝送装置１は、実施例に係る光受信装置１１と同様の構成を有するので、上述した内容と同様の作用効果を奏する。
【０２０４】
以上、好ましい実施例を参照して本発明の内容を具体的に説明したが、本発明の基本的技術思想及び教示に基づいて、当業者であれば、種々の変形態様を採り得ることは自明である。
【０２０５】
なお、以上の説明に関して更に以下の付記を開示する。
（付記１）  入力されたバースト光信号を正相の電気信号及び逆相の電気信号に変換する変換部と、
前記正相の電気信号及び前記逆相の電気信号を増幅する増幅部と、
前記正相の電気信号及び前記逆相の電気信号がそれぞれ出力される第１出力端子及び第２出力端子と、
前記増幅部を前記第１出力端子及び前記第２出力端子にそれぞれ接続し、前記正相の電気信号及び前記逆相の電気信号がそれぞれ伝送される第１伝送線路及び第２伝送線路と、
前記バースト光信号同士の間に設けられた無信号期間中、前記第１伝送線路と前記第２伝送線路の電位差を低減する制御部とを有することを特徴とする光受信装置。
（付記２）  前記第１伝送線路及び前記第２伝送線路は、キャパシタを介して、前記増幅部を前記第１出力端子及び前記第２出力端子にそれぞれ接続し、
前記制御部は、前記無信号期間中、前記第１伝送線路において前記増幅部と前記キャパシタの間に延びる部分と、前記第２伝送線路において前記増幅部と前記キャパシタの間に延びる部分の電位差を低減することを特徴とする付記１に記載の光受信装置。
（付記３）  前記バースト光信号が入力されたときに前記変換部から出力される電流を検出して、検出信号を前記制御部に出力する検出部を、さらに有し、
前記制御部は、前記検出信号に基づいて、前記第１伝送線路と前記第２伝送線路の電位差を低減することを特徴とする付記１または２に記載の光受信装置。
（付記４）  前記制御部は、前記無信号期間中、前記第１伝送線路及び前記第２伝送線路間を短絡し、前記バースト光信号が入力されている期間中、前記第１伝送線路及び前記第２伝送線路間を開放することを特徴とする付記１乃至３の何れかに記載の光受信装置。
（付記５）  前記制御部は、前記無信号期間中、前記第１伝送線路と前記第２伝送線路の電位差が低減されるように前記第１伝送線路及び前記第２伝送線路にバイアス電圧を印加し、前記バースト光信号が入力されている期間中、前記第１伝送線路及び前記第２伝送線路への前記バイアス電圧の印加を停止することを特徴とする付記１乃至３の何れかに記載の光受信装置。
（付記６）  入力されたバースト光信号を正相の電気信号及び逆相の電気信号に変換する変換部と、
前記正相の電気信号及び前記逆相の電気信号を増幅する増幅部と、
キャパシタを介して前記変換部を前記増幅部に接続し、前記正相の電気信号及び前記逆相の電気信号がそれぞれ伝送される第３伝送線路及び第４伝送線路と、
前記バースト光信号同士の間に設けられた無信号期間中、前記第３伝送線路において前記変換部と前記キャパシタの間に延びる部分と、前記第４伝送線路において前記変換部と前記キャパシタの間に延びる部分の電位差を低減する制御部とを有することを特徴とする光受信装置。
（付記７）  前記バースト光信号が入力されたときに前記変換部から出力される電流を検出して、検出信号を前記制御部に出力する検出部を、さらに有し、
前記制御部は、前記検出信号に基づいて、前記第３伝送線路において前記増幅部と前記キャパシタの間に延びる部分と、前記第４伝送線路において前記増幅部と前記キャパシタの間に延びる部分の電位差を低減することを特徴とする付記６に記載の光受信装置。
（付記８）  前記制御部は、前記無信号期間中、前記第３伝送線路において前記増幅部と前記キャパシタの間に延びる部分と、前記第４伝送線路において前記増幅部と前記キャパシタの間に延びる部分の間を短絡し、前記バースト光信号が入力されている期間中、前記第３伝送線路及び前記第４伝送線路の当該部分の間を開放することを特徴とする付記６または７に記載の光受信装置。
（付記９）  前記制御部は、前記第３伝送線路において前記増幅部と前記キャパシタの間に延びる部分と、前記第４伝送線路において前記増幅部と前記キャパシタの間に延びる部分の電位差が低減されるように、前記第３伝送線路及び前記第４伝送線路の当該部分にバイアス電圧を印加し、前記バースト光信号が入力されている期間中、前記第３伝送線路及び前記第４伝送線路の当該部分への前記バイアス電圧の印加を停止することを特徴とする付記６または７に記載の光受信装置。
（付記１０）  入力されたバースト光信号を正相の電気信号及び逆相の電気信号に変換する変換部と、
前記正相の電気信号及び前記逆相の電気信号を増幅する増幅部と、
前記増幅部により増幅された前記正相の電気信号及び前記逆相の電気信号を処理する信号処理部と、
キャパシタを介して前記増幅部を前記信号処理部に接続し、前記正相の電気信号及び前記逆相の電気信号がそれぞれ伝送される第５伝送線路及び第６伝送線路と、
前記バースト光信号同士の間に設けられた無信号期間中、前記第５伝送線路において前記増幅部と前記キャパシタの間に延びる部分と、前記第６伝送線路において前記増幅部と前記キャパシタの間に延びる部分の電位差を低減する制御部とを有することを特徴とする伝送装置。
（付記１１）  前記バースト光信号が入力されたときに前記変換部から出力される電流を検出して、検出信号を前記制御部に出力する検出部を、さらに有し、
前記制御部は、前記検出信号に基づいて、前記第５伝送線路において前記増幅部と前記キャパシタの間に延びる部分と、前記第６伝送線路において前記増幅部と前記キャパシタの間に延びる部分の電位差を低減することを特徴とする付記１０に記載の伝送装置。
（付記１２）  前記制御部は、前記無信号期間中、前記第５伝送線路において前記増幅部と前記キャパシタの間に延びる部分と、前記第６伝送線路において前記増幅部と前記キャパシタの間に延びる部分の間を短絡し、前記バースト光信号が入力されている期間中、前記第５伝送線路及び前記第６伝送線路の当該部分の間を開放することを特徴とする付記１０または１１に記載の伝送装置。
（付記１３）  前記制御部は、前記無信号期間中、前記第５伝送線路において前記増幅部と前記キャパシタの間に延びる部分と、前記第６伝送線路において前記増幅部と前記キャパシタの間に延びる部分の電位差が低減されるように、前記第５伝送線路及び前記第６伝送線路の当該部分にバイアス電圧を印加し、前記バースト光信号が入力されている期間中、前記第５伝送線路及び前記第６伝送線路の当該部分への前記バイアス電圧の印加を停止することを特徴とする付記１０または１１に記載の伝送装置。
（付記１４）  入力されたバースト光信号を正相の電気信号及び逆相の電気信号に変換する変換部と、
前記正相の電気信号及び前記逆相の電気信号を増幅する増幅部と、
前記増幅部により増幅された前記正相の電気信号及び前記逆相の電気信号を処理する信号処理部と、
キャパシタを介して前記変換部を前記増幅部に接続し、前記正相の電気信号及び前記逆相の電気信号がそれぞれ伝送される第３伝送線路及び第４伝送線路と、
前記バースト光信号同士の間に設けられた無信号期間中、前記第３伝送線路において前記変換部と前記キャパシタの間に延びる部分と、前記第４伝送線路において前記変換部と前記キャパシタの間に延びる部分の電位差を低減する制御部とを有することを特徴とする伝送装置。
（付記１５）  前記バースト光信号が入力されたときに前記変換部から出力される電流を検出して、検出信号を前記制御部に出力する検出部を、さらに有し、
前記制御部は、前記検出信号に基づいて、前記第３伝送線路において前記増幅部と前記キャパシタの間に延びる部分と、前記第４伝送線路において前記増幅部と前記キャパシタの間に延びる部分の電位差を低減することを特徴とする付記１４に記載の伝送装置。
（付記１６）  前記制御部は、前記無信号期間中、前記第３伝送線路において前記増幅部と前記キャパシタの間に延びる部分と、前記第４伝送線路において前記増幅部と前記キャパシタの間に延びる部分の間を短絡し、前記バースト光信号が入力されている期間中、前記第３伝送線路及び前記第４伝送線路の当該部分の間を開放することを特徴とする付記１４または１５に記載の伝送装置。
（付記１７）  前記制御部は、前記無信号期間中、前記第３伝送線路において前記増幅部と前記キャパシタの間に延びる部分と、前記第４伝送線路において前記増幅部と前記キャパシタの間に延びる部分の電位差が低減されるように、前記第３伝送線路及び前記第４伝送線路の当該部分にバイアス電圧を印加し、前記バースト光信号が入力されている期間中、前記第３伝送線路及び前記第４伝送線路の当該部分への前記バイアス電圧の印加を停止することを特徴とする付記１４または１５に記載の伝送装置。
【符号の説明】
【０２０６】
１                    光端局装置（伝送装置）
２                    光終端装置
１１                  光受信装置
１３                  信号処理部
１１１                変換部
１１２                増幅部
１１４                制御部
１１６                信号検出部（検出部）
１１７                入力側制御部（制御部）
１１８                制御部
１３１                リタイミング回路
Ｒｐ                  第１伝送線路
Ｒｎ                  第２伝送線路
Ｒｉｐ                第３伝送線路
Ｒｉｎ                第４伝送線路
Ｓｕ                  バースト光信号
【図１】
2015089047.tif 000003
【図２】
2015089047.tif 000004
【図３】
2015089047.tif 000005
【図４】
2015089047.tif 000006
【図５】
2015089047.tif 000007
【図６】
2015089047.tif 000008
【図７】
2015089047.tif 000009
【図８】
2015089047.tif 000010
【図９】
2015089047.tif 000011
【図１０】
2015089047.tif 000012
【図１１】
2015089047.tif 000013
【図１２】
2015089047.tif 000014
【図１３】
2015089047.tif 000015
【図１４】
2015089047.tif 000016
【図１５】
2015089047.tif 000017
【図１６】
2015089047.tif 000018
【図１７】
2015089047.tif 000019
【図１８】
2015089047.tif 000020
【図１９】
2015089047.tif 000021
【図２０】
2015089047.tif 000022
【図２１】
2015089047.tif 000023
【図２２】
2015089047.tif 000024
【図２３】
2015089047.tif 000025
【図２４】
2015089047.tif 000026
【図２５】
2015089047.tif 000027
【図２６】
2015089047.tif 000028